(57)【特許請求の範囲】
【請求項１】
複数の通信媒体をまとめて構成される通信媒体集合体をさらに複数まとめて形成されるケーブルから需要に応じた通信媒体を選定する通信媒体選定装置において、
前記通信媒体の接続または分岐を行うために前記ケーブルに沿って配置された点設備の特性である点設備属性を記憶する点設備属性記憶手段と、
前記点設備ごとに前記ケーブルの特性であるケーブル属性を記憶するケーブル記憶手段と、
前記点設備ごとに、前記点設備に設けられた設備であって、前記ケーブルを収容するとともに前記通信媒体の接続または分岐を行う収容設備の特性である収容設備属性を記憶する収容設備記憶手段と、
前記点設備ごとに前記収容設備に含まれるＰＤＳ設備の特性であるＰＤＳ設備属性を記憶するＰＤＳ設備記憶手段と、
前記点設備ごとに前記収容設備に含まれる引込線の特性である引込線属性を記憶する引込線属性記憶手段と、
前記収容設備ごとに、前記ケーブル属性、前記収容設備属性、前記ＰＤＳ設備属性、前記引込線属性に応じて、前記ケーブル内の通信媒体と前記引込線と前記ＰＤＳ設備との接続・切断関係を示す接続特定情報を記憶する収容設備内接続記憶手段と、
前記収容設備ごとに前記接続特定情報を読み出し、各収容設備の使用状況および使用率を算出する収容設備収容数算出手段と、
前記通信媒体の需要に対して求められるサービス内容より該サービスを提供する上で必要とする収容設備の収容設備属性を判断するサービス特性記憶手段と、
前記収容設備収容数算出手段で算出された各収容設備の使用状況および使用率と、前記サービス特性記憶手段で判断された収容設備属性とを比較し、その比較結果に応じて、前記点設備を通過するケーブルから通信媒体を取り出す点である配線点を特定する配線点特定手段と、
前記配線点特定手段で特定された配線点で、前記サービス特性記憶手段の判断に基づいて、需要に対してサービス提供可能な収容設備属性の収容設備から通信媒体を選定する選定手段と
を備えたことを特徴とする通信媒体選定装置。
【請求項２】
請求項１に記載の通信媒体選定装置において、
前記配線点特定手段は、
需要の発生した最寄りの点設備で、前記収容設備収容数算出手段で算出された各収容設備の使用率と、前記サービス特性記憶手段で判断された収容設備属性とを比較し、サービスを提供する収容設備が存在するか否かを判断する提供可能収容設備判断手段と、
前記提供可能収容設備判断手段で提供可能な収容設備が存在しないと判断された場合に、提供可能な収容設備を前記ケーブルに沿って検索する収容設備検索手段と、
前記提供可能収容設備判断手段で提供可能な収容設備であると判断された場合にこの収容設備を配線点と特定して記憶し、前記提供可能収容設備判断手段で提供可能な収容設備が存在しないと判断された場合に前記収容設備検索手段で検索された収容設備を配線点と特定して記憶する配線点特定記憶手段と、
前記収容設備検索手段の検索により提供可能な収容設備が存在しない場合に、前記ケーブルに沿って新たな収容設備の取付が可能な点設備が存在するか否かを検索する取付予定収容設備検索手段と、
点設備属性とケーブル属性ごとに登録可能な収容設備の優先順位を予め設定した収容設備優先登録設定手段とを備え、
前記配線点特定記憶手段は、前記取付予定収容設備検索手段の検索により新たに収容設備の取付が可能な点設備が存在した場合に、前記収容設備優先登録設定手段からその点設備における点設備属性とケーブル属性の組み合わせに対応する収容設備の優先順位を読み出し、その優先順位に基づく収容設備の収容設備属性をその点設備に対応させて登録するために前記収容設備記憶手段を更新し、その点設備を配線点として特定して記憶し、
前記選定手段は、前記配線点特定記憶手段で特定された配線点における収容設備属性の収容設備から通信媒体を選定する
ことを特徴とする通信媒体選定装置。
【請求項３】
請求項１に記載の通信媒体選定装置において、
前記選定手段は、
前記サービス特性記憶手段の判断に基づいて、前記ケーブルに収容された使用可能心線を選定するか、ＰＤＳ設備から使用可能設備を選定するかを判断する通信媒体選定判断手段と、
前記通信媒体選定判断手段で判断された通信媒体がＰＤＳ設備の場合に、使用可能なＰＤＳ設備があればそれを選定し、使用可能なＰＤＳ設備がなければ収容設備で切断せずに利用可能な心線が存在するか否かを判断し、前記通信媒体選定判断手段で判断された通信媒体がＰＤＳ設備でない場合に、前記配線点特定手段で特定された配線点情報を元に該収容設備で切断せずに利用可能な心線が存在するか否かを判断する心線切断判断手段と、
点設備属性、ケーブル属性および収容設備属性の組み合わせに対する心線運用方法を予め設定した心線運用方法設定手段と、
前記心線切断判断手段で利用可能な心線が存在せずに心線の切断が必要と判断した場合に、前記配線点特定手段で特定された配線点情報を元に、前記点設備属性記憶手段から読み出した点設備属性と、前記ケーブル記憶手段から読み出したケーブル属性と、前記収容設備記憶手段から読み出した収容設備属性の組み合わせに対して、前記心線運用方法設定手段から前記配線点での心線運用方法を特定する心線運用方法特定手段と、
前記通信媒体の優先順位を予め設定した通信媒体優先順位設定手段と、
前記心線運用方法特定手段で特定された心線運用方法よりケーブル内心線の切断方法を前記心線切断判断手段で判断し、通信媒体優先順位設定手段の優先順位により目的のＰＤＳ設備に接続する心線を選定するための通信媒体を選定する通信媒体選定手段と、
ＰＤＳサービス内容ごとにＰＤＳ設備の優先順位を予め設定したＰＤＳ優先登録設定手段とを備え、
前記収容設備収容数算出手段から配線点の各収容設備の収容可能条件と、心線を包含するケーブルのケーブル属性および収容設備の収容設備属性と、前記ＰＤＳ優先登録設定手段に設定されたＰＤＳ設備の優先順位を比較し、得られたＰＤＳ設備のＰＤＳ設備属性を収容設備属性として前記ＰＤＳ設備記憶手段に記憶させ、かつ該ＰＤＳ設備から使用可能設備を選定し、
前記心線切断判断手段で心線の切断が必要と判断した場合に、前記心線運用方法特定手段で特定された心線運用方法により前記ケーブルの心線の切断方法を判断し、その切断方法を元に通信媒体優先順位設定手段の優先順位により目的のＰＤＳ設備に接続する心線を選定するための通信媒体を選定し、この選定結果を前記収容設備収容数算出手段に更新記憶する
ことを特徴とする通信媒体選定装置。
【請求項４】
請求項１に記載の通信媒体選定装置において、
前記ケーブル記憶手段は、
前記点設備ごとに、前記ケーブルの上部および下部のケーブル属性を記憶するケーブル属性記憶手段と、
前記収容設備ごとに、前記ケーブル属性ごとに登録可能な収容設備属性の条件を設定する収容設備登録条件設定手段と、
前記ケーブル属性記憶手段に記憶したケーブル属性ごとの接続状態を前記収容設備内接続記憶手段に記憶させ、前記収容設備登録条件設定手段から前記ケーブル属性ごとに収容設備属性の条件を読み出し、各点設備ごとに需要の目的に一致したケーブル属性であるか否かを判断するケーブル属性判断手段と、
前記ケーブル属性判断手段から提供可能なケーブルのケーブル属性を読み出し、このケーブル属性を特定して出力するケーブル特定判断手段と
を備えたことを特徴とする通信媒体選定装置。
【請求項５】
請求項１に記載の通信媒体選定装置において、
前記収容設備記憶手段は、
前記点設備属性記憶手段で記憶される点設備ごとの収容設備属性を記憶する収容設備属性記憶手段と、
前記収容設備属性記憶手段に記憶された前記収容設備属性が前記点設備に登録されたどのケーブルに登録されたものかを記憶する収容設備登録状態記憶手段と、
前記収容設備属性ごとに、点設備および登録可能個数条件を予め設定する収容設備登録設定手段と、
前記収容設備登録設定手段から点設備および登録可能個数条件を読み出し、前記収容設備属性ごとに、通信媒体選定で目的に一致した収容設備属性であるか否かを判断する収容設備判断手段と、
前記収容設備判断手段から提供可能な収容設備の収容設備属性を読み出し、この収容設備属性を特定して出力する収容設備特定手段と
を備えたことを特徴とする通信媒体選定装置。
【請求項６】
請求項１に記載の通信媒体選定装置において、
前記ＰＤＳ設備記憶手段は、
前記点設備属性記憶手段で記憶される点設備ごとのＰＤＳ設備属性を記憶するＰＤＳ設備属性記憶手段と、
前記ＰＤＳ設備属性記憶手段に記憶された前記ＰＤＳ設備属性が前記収容設備記憶手段に記憶されたどの収容設備属性に登録されたものかを記憶するＰＤＳ設備収容設備登録状態記憶手段と、
前記ＰＤＳ設備属性ごとに、登録可能な収容設備属性を予め設定するＰＤＳ設備収容設備登録設定手段と、
前記ＰＤＳ設備属性ごとに、通信媒体選定で目的に一致したＰＤＳ設備属性であるか否かを判断するＰＤＳ設備属性判断手段と、
前記ＰＤＳ設備属性判断手段から提供可能なＰＤＳ設備のＰＤＳ設備属性を読み出し、このＰＤＳ設備属性を特定して出力するＰＤＳ設備特定手段とを備え、
ＰＤＳ設備属性を新たに登録する場合には、該ＰＤＳ設備属性が登録可能な収容設備属性であるか否かを前記ＰＤＳ設備収容設備登録設定手段から判断し、登録可能であれば前記収容設備収容数算出手段から読み込んだＰＤＳ設備収容条件を満足しているか否かを判断し、その条件を満足している場合は前記ＰＤＳ設備属性記憶手段に新たにＰＤＳ設備属性を記憶し、その条件を満足していない場合はエラーとして処理し、さらに該ＰＤＳ設備属性が登録不可能な収容設備属性であればエラーとして登録処理を中止する
ことを特徴とする通信媒体選定装置。
【請求項７】
請求項１に記載の通信媒体選定装置において、
前記収容設備収容数算出手段は、
前記ケーブル記憶手段で利用可能と判断されたケーブルのケーブル属性と、前記収容設備記憶手段で利用可能と判断された収容設備の収容設備属性と、前記収容設備記憶手段で特定された収容設備属性に対して前記ＰＤＳ設備記憶手段に記憶されたＰＤＳ設備属性と、前記引込線属性記憶手段に記憶され、前記収容設備記憶手段で特定された収容設備属性ごとに登録されている引込線属性とを各点設備ごとに読み出し、この読み出した属性により前記収容設備内接続記憶手段に記憶された接続特定情報を各収容設備ごとに読み出し、各収容設備属性の収容状況を算出する収容設備収容状況算出手段と、
各収容設備属性ごとのケーブル収容条件、ＰＤＳ設備収容条件、引込線収容条件、接続可能条件および未接続心線条件を予め設定する収容設備収容条件設定手段と、
前記収容設備収容条件設定手段から各条件を読み出し、各収容設備属性における使用率を記憶する収容設備使用率記憶手段と、
通信媒体を選定するごとに、選定された収容設備属性における使用率を計算し、この使用率を前記収容設備使用率記憶手段に更新設定する収容設備使用率計算手段と、
前記収容設備収容状況算出手段で算出された収容状況と、前記収容設備収容条件設定手段から読み出した条件とを比較し、収容設備属性が新たな需要を収容できるか否かを判断する収容状態判断手段とを備え、
前記収容状態判断手段が新たな需要を収容できる収容設備属性であると判断した場合に、前記配線点特定手段が、各収容設備属性における使用率を前記収容設備使用率記憶手段から読み出して比較し、その比較結果に基づいて配線点を特定する
ことを特徴とする通信媒体選定装置。
【請求項８】
請求項１に記載の通信媒体選定装置において、
前記サービス特性記憶手段は、
通信媒体の需要に対して求められるサービス内容を記憶し、そのサービス内容がＳＳサービスかＰＤＳサービスかを判断するサービス内容判断手段と、
各サービスを提供する上で必要とする収容設備の収容設備属性をサービス提供条件として予め設定したサービス提供条件設定手段と、
前記サービス内容判断手段で判断されたサービス内容について、前記サービス提供条件設定手段を参照して該サービスを提供する上で必要とする収容設備の収容設備属性であるか否かを判断するサービス提供設備判断手段とを備え、                                前記選定手段は、前記サービス提供設備判断手段の判断に基づいて、需要に対してサービス提供可能な収容設備属性の収容設備から通信媒体を選定する
ことを特徴とする通信媒体選定装置。
【請求項９】
請求項３に記載の通信媒体選定装置において、
前記選定手段は、
前記優先順位に基づき前記心線運用方法特定手段で判断された結果が、心線の集合体であるテープ媒体を運用するテープ運用方法であった場合に、前記通信媒体優先順位設定手段から通信媒体の優先順位を読み出し、この優先順位に基づいて前記心線切断判断手段でテープ単位で心線が使用可能と判断されるテープ媒体を切断可能と判断し、そのテープ媒体を選定対象とし、かつテープ媒体に含まれる目的の心線を取得して他の心線に対して切断予定を設定し、
前記優先順位に基づき前記心線運用方法特定手段で判断された結果が、心線の集合体であるテープ媒体の１心線のみを分離して運用可能な単心分離運用方法であった場合に、前記通信媒体優先順位設定手段から通信媒体の優先順位を読み出し、この優先順位に基づいて前記心線切断判断手段でテープ媒体に含まれる心線に使用可能な心線が存在した場合に、目的の心線のみをテープ媒体から分離切断して使用すると判断し、その心線を選定対象とし、
前記優先順位に基づき前記心線運用方法特定手段で判断された結果が、予め心線が分離された心線集合体である単心運用方法であった場合に、前記通信媒体優先順位設定手段から通信媒体の優先順位を読み出し、この優先順位に基づいて前記心線切断判断手段で使用可能と判断される心線を選定対象とする
ことを特徴とする通信媒体選定装置。
【請求項１０】
複数の通信媒体をまとめて構成される通信媒体集合体をさらに複数まとめて形成されるケーブルから需要に応じた通信媒体を選定する通信媒体選定方法において、
点設備属性記憶手段が、前記通信媒体の接続または分岐を行うために前記ケーブルに沿って配置された点設備の特性である点設備属性を記憶し、
ケーブル記憶手段が、前記点設備ごとに前記ケーブルの特性であるケーブル属性を記憶し、
収容設備記憶手段が、前記点設備ごとに、前記点設備に設けられた設備であって、前記ケーブルを収容するとともに前記通信媒体の接続または分岐を行う収容設備の特性である収容設備属性を記憶し、
ＰＤＳ設備記憶手段が、前記点設備ごとに前記収容設備に含まれるＰＤＳ設備の特性であるＰＤＳ設備属性を記憶し、
引込線属性記憶手段が、前記点設備ごとに前記収容設備に含まれる引込線の特性である引込線属性を記憶し、
収容設備内接続記憶手段が、前記収容設備ごとに、前記ケーブル属性、前記収容設備属性、前記ＰＤＳ設備属性、前記引込線属性に応じて、前記ケーブル内の通信媒体と前記引込線と前記ＰＤＳ設備との接続・切断関係を示す接続特定情報を記憶し、
収容設備収容数算出手段が、前記収容設備ごとに前記接続特定情報を読み出し、各収容設備の使用状況および使用率を算出し、
サービス特性記憶手段が、前記通信媒体の需要に対して求められるサービス内容より該サービスを提供する上で必要とする収容設備の収容設備属性を判断し、
配線点特定手段が、前記収容設備収容数算出手段で算出された各収容設備の使用状況および使用率と、前記サービス特性記憶手段で判断された収容設備属性とを比較し、その比較結果に応じて、前記点設備を通過するケーブルから通信媒体を取り出す点である配線点を特定し、
選定手段が、前記配線点特定手段で特定された配線点で、前記サービス特性記憶手段の判断に基づいて、需要に対してサービス提供可能な収容設備属性の収容設備から通信媒体を選定する
ことを特徴とする通信媒体選定方法。
【請求項１１】
請求項１０に記載の通信媒体選定方法において、
前記配線点特定手段では、
提供可能収容設備判断手段が、需要の発生した最寄りの点設備で、前記収容設備収容数算出手段で算出された各収容設備の使用率と、前記サービス特性記憶手段で判断された収容設備属性とを比較し、サービスを提供する収容設備が存在するか否かを判断し、
収容設備検索手段が、前記提供可能収容設備判断手段で提供可能な収容設備が存在しないと判断された場合に、提供可能な収容設備を前記ケーブルに沿って検索し、
配線点特定記憶手段が、前記提供可能収容設備判断手段で提供可能な収容設備であると判断された場合にこの収容設備を配線点と特定して記憶し、前記提供可能収容設備判断手段で提供可能な収容設備が存在しないと判断された場合に前記収容設備検索手段で検索された収容設備を配線点と特定して記憶し、
取付予定収容設備検索手段が、前記収容設備検索手段の検索により提供可能な収容設備が存在しない場合に、前記ケーブルに沿って新たな収容設備の取付が可能な点設備が存在するか否かを検索し、
収容設備優先登録設定手段が、点設備属性とケーブル属性ごとに登録可能な収容設備の優先順位を予め設定し、
前記配線点特定記憶手段は、前記取付予定収容設備検索手段の検索により新たに収容設備の取付が可能な点設備が存在した場合に、前記収容設備優先登録設定手段からその点設備における点設備属性とケーブル属性の組み合わせに対応する収容設備の優先順位を読み出し、その優先順位に基づく収容設備の収容設備属性をその点設備に対応させて登録するために前記収容設備記憶手段を更新し、その点設備を配線点として特定して記憶し、
前記選定手段は、前記配線点特定記憶手段で特定された配線点における収容設備属性の収容設備から通信媒体を選定する
ことを特徴とする通信媒体選定方法。
【請求項１２】
請求項１０に記載の通信媒体選定方法において、
前記選定手段では、
通信媒体選定判断手段が、前記サービス特性記憶手段の判断に基づいて、前記ケーブルに収容された使用可能心線を選定するか、ＰＤＳ設備から使用可能設備を選定するかを判断し、
心線切断判断手段が、前記通信媒体選定判断手段で判断された通信媒体がＰＤＳ設備の場合に、使用可能なＰＤＳ設備があればそれを選定し、使用可能なＰＤＳ設備がなければ収容設備で切断せずに利用可能な心線が存在するか否かを判断し、前記通信媒体選定判断手段で判断された通信媒体がＰＤＳ設備でない場合に、前記配線点特定手段で特定された配線点情報を元に該収容設備で切断せずに利用可能な心線が存在するか否かを判断し、
心線運用方法設定手段が、点設備属性、ケーブル属性および収容設備属性の組み合わせに対する心線運用方法を予め設定し、
心線運用方法特定手段が、前記心線切断判断手段で利用可能な心線が存在せずに心線の切断が必要と判断した場合に、前記配線点特定手段で特定された配線点情報を元に、前記点設備属性記憶手段から読み出した点設備属性と、前記ケーブル記憶手段から読み出したケーブル属性と、前記収容設備記憶手段から読み出した収容設備属性の組み合わせに対して、前記心線運用方法設定手段から前記配線点での心線運用方法を特定し、
通信媒体優先順位設定手段が、前記通信媒体の優先順位を予め設定し、
通信媒体選定手段が、前記心線運用方法特定手段で特定された心線運用方法よりケーブル内心線の切断方法を前記心線切断判断手段で判断し、通信媒体優先順位設定手段の優先順位により目的のＰＤＳ設備に接続する心線を選定するための通信媒体を選定し、
ＰＤＳ優先登録設定手段が、ＰＤＳサービス内容ごとにＰＤＳ設備の優先順位を予め設定し、
前記収容設備収容数算出手段から配線点の各収容設備の収容可能条件と、心線を包含するケーブルのケーブル属性および収容設備の収容設備属性と、前記ＰＤＳ優先登録設定手段に設定されたＰＤＳ設備の優先順位を比較し、得られたＰＤＳ設備のＰＤＳ設備属性を収容設備属性として前記ＰＤＳ設備記憶手段に記憶させ、かつ該ＰＤＳ設備から使用可能設備を選定し、
前記心線切断判断手段で心線の切断が必要と判断した場合に、前記心線運用方法特定手段で特定された心線運用方法により前記ケーブルの心線の切断方法を判断し、その切断方法を元に通信媒体優先順位設定手段の優先順位により目的のＰＤＳ設備に接続する心線を選定するための通信媒体を選定し、この選定結果を前記収容設備収容数算出手段に更新記憶する
ことを特徴とする通信媒体選定方法。
【請求項１３】
請求項１０に記載の通信媒体選定方法において、
前記ケーブル記憶手段では、
ケーブル属性記憶手段が、前記点設備ごとに、前記ケーブルの上部および下部のケーブル属性を記憶し、
収容設備登録条件設定手段が、前記収容設備ごとに、前記ケーブル属性ごとに登録可能な収容設備属性の条件を設定し、
ケーブル属性判断手段が、前記ケーブル属性記憶手段に記憶したケーブル属性ごとの接続状態を前記収容設備内接続記憶手段に記憶させ、前記収容設備登録条件設定手段から前記ケーブル属性ごとに収容設備属性の条件を読み出し、各点設備ごとに需要の目的に一致したケーブル属性であるか否かを判断し、
ケーブル特定判断手段が、前記ケーブル属性判断手段から提供可能なケーブルのケーブル属性を読み出し、このケーブル属性を特定して出力する
ことを特徴とする通信媒体選定方法。
【請求項１４】
請求項１０に記載の通信媒体選定方法において、
前記収容設備記憶手段では、
収容設備属性記憶手段が、前記点設備属性記憶手段で記憶される点設備ごとの収容設備属性を記憶し、
収容設備登録状態記憶手段が、前記収容設備属性記憶手段に記憶された前記収容設備属性が前記点設備に登録されたどのケーブルに登録されたものかを記憶し、
収容設備登録設定手段が、前記収容設備属性ごとに、点設備および登録可能個数条件を予め設定し、
収容設備判断手段が、前記収容設備登録設定手段から点設備および登録可能個数条件を読み出し、前記収容設備属性ごとに、通信媒体選定で目的に一致した収容設備属性であるか否かを判断し、
収容設備特定手段が、前記収容設備判断手段から提供可能な収容設備の収容設備属性を読み出し、この収容設備属性を特定して出力する
ことを特徴とする通信媒体選定方法。
【請求項１５】
請求項１０に記載の通信媒体選定方法において、
前記ＰＤＳ設備記憶手段では、
ＰＤＳ設備属性記憶手段が、前記点設備属性記憶手段で記憶される点設備ごとのＰＤＳ設備属性を記憶し、
ＰＤＳ設備収容設備登録状態記憶手段が、前記ＰＤＳ設備属性記憶手段に記憶された前記ＰＤＳ設備属性が前記収容設備記憶手段に記憶されたどの収容設備属性に登録されたものかを記憶し、
ＰＤＳ設備収容設備登録設定手段が、前記ＰＤＳ設備属性ごとに、登録可能な収容設備属性を予め設定し、
ＰＤＳ設備属性判断手段が、前記ＰＤＳ設備属性ごとに、通信媒体選定で目的に一致したＰＤＳ設備属性であるか否かを判断し、
ＰＤＳ設備特定手段が、前記ＰＤＳ設備属性判断手段から提供可能なＰＤＳ設備のＰＤＳ設備属性を読み出し、このＰＤＳ設備属性を特定して出力し、
ＰＤＳ設備属性を新たに登録する場合には、該ＰＤＳ設備属性が登録可能な収容設備属性であるか否かを前記ＰＤＳ設備収容設備登録設定手段から判断し、登録可能であれば前記収容設備収容数算出手段から読み込んだＰＤＳ設備収容条件を満足しているか否かを判断し、その条件を満足している場合は前記ＰＤＳ設備属性記憶手段に新たにＰＤＳ設備属性を記憶し、その条件を満足していない場合はエラーとして処理し、さらに該ＰＤＳ設備属性が登録不可能な収容設備属性であればエラーとして登録処理を中止する
ことを特徴とする通信媒体選定方法。
【請求項１６】
請求項１０に記載の通信媒体選定方法において、
前記収容設備収容数算出手段では、
収容設備収容状況算出手段が、前記ケーブル記憶手段で利用可能と判断されたケーブルのケーブル属性と、前記収容設備記憶手段で利用可能と判断された収容設備の収容設備属性と、前記収容設備記憶手段で特定された収容設備属性に対して前記ＰＤＳ設備記憶手段に記憶されたＰＤＳ設備属性と、前記引込線属性記憶手段に記憶され、前記収容設備記憶手段で特定された収容設備属性ごとに登録されている引込線属性とを各点設備ごとに読み出し、この読み出した属性により前記収容設備内接続記憶手段に記憶された接続特定情報を各収容設備ごとに読み出し、各収容設備属性の収容状況を算出し、
収容設備収容条件設定手段が、各収容設備属性ごとのケーブル収容条件、ＰＤＳ設備収容条件、引込線収容条件、接続可能条件および未接続心線条件を予め設定し、
収容設備使用率記憶手段が、前記収容設備収容条件設定手段から各条件を読み出し、各収容設備属性における使用率を記憶し、
通信媒体を選定するごとに、収容設備使用率計算手段が、選定された収容設備属性における使用率を計算し、この使用率を前記収容設備使用率記憶手段に更新設定し、
収容状態判断手段が、前記収容設備収容状況算出手段で算出された収容状況と、前記収容設備収容条件設定手段から読み出した条件とを比較し、収容設備属性が新たな需要を収容できるか否かを判断し、
前記収容状態判断手段が新たな需要を収容できる収容設備属性であると判断した場合に、前記配線点特定手段が、各収容設備属性における使用率を前記収容設備使用率記憶手段から読み出して比較し、その比較結果に基づいて配線点を特定する
ことを特徴とする通信媒体選定方法。
【請求項１７】
請求項１０に記載の通信媒体選定方法において、
前記サービス特性記憶手段では、
サービス内容判断手段が、通信媒体の需要に対して求められるサービス内容を記憶し、そのサービス内容がＳＳサービスかＰＤＳサービスかを判断し、
サービス提供条件設定手段が、各サービスを提供する上で必要とする収容設備の収容設備属性をサービス提供条件として予め設定し、
サービス提供設備判断手段が、前記サービス内容判断手段で判断されたサービス内容について、前記サービス提供条件設定手段を参照して該サービスを提供する上で必要とする収容設備の収容設備属性であるか否かを判断し、
前記選定手段は、前記サービス提供設備判断手段の判断に基づいて、需要に対してサービス提供可能な収容設備属性の収容設備から通信媒体を選定する
ことを特徴とする通信媒体選定方法。
【請求項１８】
請求項１２に記載の通信媒体選定方法において、
前記選定手段では、
前記優先順位に基づき前記心線運用方法特定手段で判断された結果が、心線の集合体であるテープ媒体を運用するテープ運用方法であった場合に、前記通信媒体優先順位設定手段から通信媒体の優先順位を読み出し、この優先順位に基づいて前記心線切断判断手段でテープ単位で心線が使用可能と判断されるテープ媒体を切断可能と判断し、そのテープ媒体を選定対象とし、かつテープ媒体に含まれる目的の心線を取得して他の心線に対して切断予定を設定し、
前記優先順位に基づき前記心線運用方法特定手段で判断された結果が、心線の集合体であるテープ媒体の１心線のみを分離して運用可能な単心分離運用方法であった場合に、前記通信媒体優先順位設定手段から通信媒体の優先順位を読み出し、この優先順位に基づいて前記心線切断判断手段でテープ媒体に含まれる心線に使用可能な心線が存在した場合に、目的の心線のみをテープ媒体から分離切断して使用すると判断し、その心線を選定対象とし、
前記優先順位に基づき前記心線運用方法特定手段で判断された結果が、予め心線が分離された心線集合体である単心運用方法であった場合に、前記通信媒体優先順位設定手段から通信媒体の優先順位を読み出し、この優先順位に基づいて前記心線切断判断手段で使用可能と判断される心線を選定対象とする
ことを特徴とする通信媒体選定方法。
【請求項１９】
請求項１０〜１８に記載の各手段をコンピュータプログラムで実現したことを特徴とする通信媒体選定プログラム。
【発明の詳細な説明】
【技術分野】
【０００１】
本発明は、複数の通信媒体をまとめて構成される通信媒体集合体をさらに複数まとめて形成されるケーブルから需要に応じた通信媒体を選定する通信媒体選定装置、通信媒体選定方法および通信媒体選定プログラムに関する。
特に、直収方式（以下、ＳＳ（Single Star)) サービス需要と、多分岐方式（以下、ＰＤＳ（Passive Double Star)) サービス需要の媒体収容可能条件を把握し、その需要に合わせた通信設備構成が可能か否かを判断して通信媒体の選定を行う通信媒体選定装置、通信媒体選定方法および通信媒体選定プログラムに関する。
【背景技術】
【０００２】
従来の通信媒体選定技術としては、例えば特許文献１および特許文献２に記載のものがある。特許文献１に記載の技術は、テープ構造をもつ通信媒体の構成や特質、および需要管理のための配線ブロックなどの観点を加味した上で、配線ブロックおよびこの配線ブロックに隣接する配線ブロックから通信媒体を選定する。
【０００３】
特許文献２に記載の技術は、通信媒体の選定に当たって、最寄点設備からケーブルにおける通信媒体使用率を計算し、各ケーブルにおける通信媒体の使用率を各ケーブルごとに通信媒体を選定する。さらに、この通信媒体に接続された光分岐モジュールが使用可能なものか否かを判断し、使用可能な光分岐モジュールに接続された通信媒体を選定する。
【０００４】
このような通信媒体選定技術におけるサービス種別の特性、点設備属性、ケーブル属性、収容設備属性、引込線属性、心線運用方法、ＰＤＳ設備属性、従来の通信媒体選定のシミュレーションについて以下に説明する。
【０００５】
（サービス種別の特性について）
図１１は、通信ネットワークにおけるサービス種別の特性を示す。
図１１(a) は、ＳＳサービスの形態を示す。始点（需要発生点、ユーザ側）から終点（局装置側）までの間は１対１の関係が維持され、１つの始点に対して必ず終点が１つ存在する形態をとる。この場合は、局内の通信媒体は、常に他のユーザによって占有されていない心線・端子などの媒体が選定される。
【０００６】
図１１(b) は、ＰＤＳサービスの形態を示す。始点（需要発生点、ユーザ側）から終点（局内装置側）までの間はｎ対１の関係が成り立つ。これは、終点である局装置側から発せられる光信号を途中の分岐装置（ＰＤＳ装置）まで１本の心線を複数のユーザで共有する形式であるため、局装置側から分岐装置までは１本の心線であり、分岐装置以降は分岐装置に付属する複数の設備と複数の心線（引込線）を接続してサービスが提供される。本サービスの特徴として、最初のユーザについては、ＳＳサービスと同様に、局内の通信媒体は常に他のユーザによって占有されていない空き心線・端子などの媒体が選定対象となる。しかし、次のユーザに対しては、局内装置から分岐装置までの心線はすべて占有状態（接続済み）であり、分岐装置で出力側（ユーザ側）に空き端子が存在すれば開通可能となる。
【０００７】
（点設備属性について）
図１２は、線路設備の構成例を示す。ここで、局内装置から地下ケーブル、架空ケーブル、引込線を介してユーザ宅内装置が接続される線路設備を示す。
【０００８】
点設備は、通信媒体の接続および分岐を行うためにケーブルに沿って配置される設備であり、例えば電柱、マンホール、ハンドホールなどのようにケーブルが通過する設備である。この点設備に設けられる収容設備において、通信媒体の接続や分岐を行う。また、点設備を通過するケーブルからユーザ宅内にサービス提供を行うには、ケーブルから通信媒体を取り出す必要があり、この通信媒体を取り出す点を配線点と呼ぶ。図１２に示すように、点設備ごとに異なった特性を「点設備属性」という。
【０００９】
（ケーブル属性について）
光ファイバケーブルなどの通信媒体は、ケーブルの高密度化、接続作業の向上などの理由から、複数の通信媒体をまとめて構成される１つの集合構造体（通信媒体集合体）となるように作られている。そのため、１本の通信媒体のみを切断して使用することができず、集合構造体単位での切断および使用が行なわれる。
【００１０】
図１３は、集合構造体の構成例を示す。
図１３(a) は、階層的に構成される集合構造体の例１を示す。（イ）は４心の集合から構成されるテープ状の集合構造体を示し、（ロ）はこのテープ状の集合構造体を５枚接合して構成される集合構造体を示し、（ハ）はこの集合構造体をケーブルに組み込んだ集合構造体の断面を示す。なお、（ハ）の集合構造体は、中心に設けられた鋼線の周囲にテープ集合収容部が設けられ、このテープ集合収容部の凹部内にテープ集合体が収容され、そのうちの１つの凹部に作業用通信媒体が収容されている。そして、これらの周囲は保護被覆部で保護され、最外側には外皮が設けられている。
【００１１】
図１３(b) は、集合構造体の例２のケーブルの断面を示す。この集合構造体は、単心の通信媒体が複数心集まって１つのチューブに収められ、このチューブが複数集まってケーブルを構成しているものである。すなわち、この集合構造体は、中心に設けられた鋼線の周囲に６個のチューブが設けられ、各チューブは中心に鋼線を有し、この鋼線の周囲に４本の心線とこれらの通信媒体を固定するためのバランサが設けられ、この６個のチューブの周囲は外皮で包まれて保護されている。図１３(a),(b) に示すように、ケーブルごとに異なった特性を「ケーブル属性」という。
【００１２】
（収容設備属性について）
収容設備は、各点設備に布設されるケーブルからユーザ宅内にサービス提供を行う場合に、ケーブルからサービス提供を行う心線（通信媒体）を取り出し、この心線とユーザ宅内まで布設した引込線とを接続するためのものである。また、収容設備は、本線ケーブルから分岐されたケーブルを接続する場合にも必要となる。
【００１３】
図１４は、収容設備の構成例を示す。
図１４(a) は、架空用収容設備の一例を示す。（イ）は光ファイバ心線の余長部を収納する余長心線収納部、（ロ）はケーブル内の心線を切断し、ＰＤＳ設備に接続するＰＤＳ設備収納部または引込線収納部、（ハ）はケーブル内の心線を切断し、ユーザ宅内まで布設された引込線との接続部および余長部を最大４心個々に収容可能な引込線収納部、（ニ）はケーブル内のテープ集合体の接続部および余長部を収納する接続心線収納部、（ホ）は収容設備に収容される光ファイバケーブルおよび引込線を収容するケーブル固定部を示す。本収容設備では、ＰＤＳ設備収納部は最大１段実装可能であり、ＰＤＳ設備収納部を実装して引込線収納部を４段実装した場合、接続心線収納部は２段収容可能である。また、引込線収納部を２段実装した場合、接続心線収納部は３段収容可能となるように、各収納部間の組み合わせがある。
【００１４】
図１４(b) は、ケーブル固定部の一例を示す。ケーブル固定部は、架空収容設備の側面に設置され、収容設備内に側面から雨水の浸入を防ぐ目的がある。（イ）は点設備に布設された支持線または本線ケーブルを固定する本線ケーブル固定部、（ロ）は本線ケーブルから分岐されたケーブルを固定する分岐ケーブル固定部、（ハ）はユーザ宅内まで布設された引込線を固定する引込線固定部を示す。ここで、引込線固定部に固定可能な引込線数は最大16本である。図１４(a),(b) に示すように、各収容設備ごとに異なった特性を「収容設備属性」という。
【００１５】
（引込線属性について）
引込線は、配線点からユーザ宅内までの区間に布設され、ケーブル内の心線に接続してユーザ宅内へサービス提供を行うための通信媒体である。
【００１６】
図１５は、引込線の例を示す。
図１５(a) は、屋外用の引込線を示し、縦長の楕円形状に一括被覆を施し、内部に光心線を包含し、上部に支持線が施された構造である。（イ）は１心からなる単心構造、（ロ）は２心からなる単心構造、（ハ）は４心テープからなる集合構造体、（ニ）は４心テープを２枚（合計８心）からなる集合構造体を示す。
【００１７】
図１５(b) は、屋内用の引込線を示し、横長の楕円形状に一括被覆を施し、内部に光心線を包含し、支持線がない構造である。（イ）は１心からなる単心構造、（ロ）は２心からなる単心構造、（ハ）は８心からなる単心構造、（ニ）４心テープからなる集合構造体、（ホ）は４心テープを２枚（合計８心）からなる集合構造体を示す。図１５(a),(b) に示すように、各引込線ごとに異なった特性を「引込線属性」という。
【００１８】
（心線運用方法について）
心線運用方法とは、点設備における上部ケーブル属性および下部ケーブル属性、さらに収容設備属性の組み合わせにより、実施可能なケーブル内の心線の利用方法である。
【００１９】
図１６は、心線運用のイメージ例を示す。
図１６(a) は、上部ケーブルまたは下部ケーブルの少なくとも一方のテープ心線が単心分離不可能なケーブル属性であるか、テープ心線を単身に分離可能なケーブル属性であるが、収容設備内でテープ心線を分離するスペースが存在しない収容設備属性である場合を示す。この場合には、テープ心線をまとめて切断し、さらに切断したテープ心線を単心に分離し、目的とする心線を抽出し、引込線に接続する。
【００２０】
図１６(b) は、上部ケーブルおよび下部ケーブルのテープ心線を単心に分離可能なケーブル属性であり、さらにテープ心線を単心に分離するためのスペースを保持した収容設備属性の組み合わせの場合を示す。この場合には、テープ心線のうち目的とする心線のみをテープ心線から分離し、単心にした後に切断して抽出し、引込線に接続する。
【００２１】
図１６(c) は、上部ケーブルおよび下部ケーブルがテープ心線ではなく、１心線ごとに分離されて収容されるケーブル属性である場合を示す。この場合には、収容設備属性を問わず、目的とする心線のみ切断して抽出し、引込線に接続する。
【００２２】
（ＰＤＳ設備属性について）
図１７は、ＰＤＳ設備の構成例を示す。
ＰＤＳ設備は、収容設備に搭載されるものであり、上部側の心線から光信号を入力部に入力し、スプリッタ部で出力部側の心線数分に分岐し、出力部に出力する構成である。出力部側に属する心線は、２心、４心、８心、16心などの単心分離型、および４心の心線をテープ構造体で構成した４心１テープ、８心２テープなどのテープ型がある。主に、入力部側に上部心線を接続し、出力部側に引込線を接続することによりＰＤＳサービスの提供を行う。このように、ＰＤＳ設備ごとに異なった特性を「ＰＤＳ設備属性」という。
【００２３】
以上示した各属性に基づき、収容設備への収容方法について説明する。収容設備属性は、収容設備ごとにＰＤＳ設備収容条件、引込線収容条件などの収容制限が異なり、収容設備属性とケーブル属性との組み合わせによりテープ心線の利用方法が異なる。さらに、ＰＤＳサービスの場合、効率的と選定された心線を収容する収容設備において、選定された心線とＰＤＳ設備を接続した後に、ＰＤＳ設備を収容するＰＤＳ設備収容部が必要となる。さらに、ＰＤＳ設備の使用可能設備とユーザ宅内まで布設される引込線を収容設備内で接続し、接続した心線とＰＤＳ設備を収容する引込線収容部が必要となる。一方、ＳＳサービスの場合、効率的と選定された心線を収容する収容設備において、選定された心線とユーザ宅内まで布設された引込線を接続し、接続された心線を収容する引込線収容部が必要となる。
【００２４】
さらに、引込線を接続した心線を収容する引込線収容部においても、心線ごとに収容できる制限が異なり、収容設備において収容可能な引込線収容部が存在しない場合、この配線点に新たな収容設備を新設し、この収容設備内の心線を取り出し、サービス形態に見合った通信媒体を接続する必要がある。さらに、配線点に新たに収容設備を新設することができない場合は、新たな収容設備が登録可能な配線点を確認し、登録する必要がある。さらに、収容設備属性において、ＰＤＳ設備の収容が不可能な収容設備、およびＰＤＳ設備が登録不可能なケーブル属性も存在する。
【００２５】
（従来の通信媒体選定のシミュレーション）
ここで、図１８，１９に示す設備モデルを例に、従来の通信媒体選定のシミュレーションについて説明する。簡単のために、布設されたケーブルは２心テープ構造×２テープの４心であり、この４心ケーブルは途中での分岐が存在しないケーブルとする。点設備１および点設備２に登録された収容設備属性は単心分離可能収容設備、および区間のケーブルは単身分離可能ケーブルとなっている。
【００２６】
本シミュレーション実施の前提条件は次の通りである。
(1) 布設されたケーブル属性および収容設備属性は、ＳＳサービスおよびＰＤＳサービスの収容が可能であり、単心分離運用可能な属性とする。
(2) 各収容設備属性に収容可能なＰＤＳ設備収容数は１個までとする。
(3) 登録されるＰＤＳ設備属性は２分岐ＰＤＳ設備属性とする。
(4) シミュレーションを簡素化するために、ＰＤＳサービスは１種類とする。
(5) 各収容設備属性から引込み可能な引込線数は４本までとする。
【００２７】
シミュレーション方法は次の通りである。
(1) 発生する需要は、各点設備でランダムに発生し、需要１〜５が発生するものとする。(2) ＰＤＳ需要が発生した場合、配線点にＰＤＳ設備属性の登録が行われていなかった場合、およびこのＰＤＳ設備属性の使用可能設備が存在しなかった場合、新たなＰＤＳ設備が人手により登録されたものとしてシミュレーションを継続する。
(3) 発生した需要に対して、使用可能通信媒体が存在しなくなった時点でシミュレーションを終了する。
【００２８】
（需要１）
図１９(1) において、点設備２にＰＤＳサービスの需要１が発生したとする。この点設備２を配線点と特定し、配線点で切断せずに利用可能な心線が存在するか否かを判断する。ここでは利用可能な心線が存在しないことから新たに心線を切断することとし、テープ構造体１-(1)を目的の心線と特定する。ここで、従来は心線運用方法を考慮した選定を実施していないので、テープ構造体１-(2)の心線は点設備２において切断予定の心線として管理される。このとき、本来ＰＤＳサービスの提供に必要とされるＰＤＳ接続属性の登録はなされていない状態である。
【００２９】
（需要２）
次に、図１９(1) において、点設備１にＳＳサービスの需要２が発生したとする。この点設備１を配線点と特定し、配線点で切断せずに利用可能な心線が存在するか否かを判断する。ここでは利用可能な心線が存在しないことから新たに心線を切断することとするが、需要１でテープ構造体１が点設備２で使用および切断予定として管理されていることから、テープ構造体２-(1)を目的の心線と特定する。また、テープ構造体１-(2)の心線は、同様に点設備１において切断予定の心線として管理される。
【００３０】
（需要３）
次に、図１９(2) において、点設備２にＳＳサービスの需要３が発生したとする。この点設備２を配線点と特定し、配線点で切断せずに利用可能な心線が存在するか否かを判断する。ここではすでに切断されていて利用可能な心線が存在しないことから新たに心線を切断することとするが、すでに点設備２で切断予定として管理されている心線があることから、そのテープ構造体１-(2)を目的の心線と特定する。
【００３１】
（需要４）
次に、図１９(2) において、点設備２にＰＤＳサービスの需要４が発生したとする。この点設備２では需要１においてＰＤＳサービス需要が発生しているが、ＰＤＳ設備属性を考慮した選定を実施していないこと、さらにＰＤＳ設備属性が登録されていないことから、この配線点で切断せずに利用可能な心線が存在するか否かを判断する。ここでは、テープ構造体１-(1),(2)およびテープ構造体２-(1)が使用予定であり、さらにテープ構造体２-(2)が点設備１で切断予定として管理されている心線があることから、利用可能な心線が存在しないことになり、選定処理は終了する。
【００３２】
このように、上記の通信媒体選定の心線運用方法では、単心分離運用方法であるにもかかわらずテープ単位で切断予定を判断しているため、切断予定の心線について、切断予定となっている点設備と異なる点設備で需要が発生してもその心線を選定することができないことがわかる。また、ＰＤＳ設備属性が登録されるまでの間、ある点設備に同一のＰＤＳサービス需要が発生しても、目的とする心線を選定ができないことがわかる。
【特許文献１】特開２０００−３３２８９３号公報
【特許文献２】特開２００２─２０４５１１号公報
【発明の開示】
【発明が解決しようとする課題】
【００３３】
以上説明したように、通信媒体の選定では、配線点に布設されているケーブル属性および収容設備属性の組み合わせ、さらに収容設備の収容制限に対する使用状況を考慮することが重要になる。すなわち、通信媒体の選定にあたり、収容可能な条件であるか否かを判断した上で、目的とする通信媒体を選定することが重要になる。しかし、従来の通信媒体選定装置では、点設備ごとの収容設備属性とケーブル属性の組み合わせ判断手段や収容設備の収容状況算定手段がないために、配線点に登録された収容設備属性により、引込線の収容が不可能な状況にある収容設備属性でも、使用可能心線が存在した場合に正常に使用可能心線として選択される問題がある。
【００３４】
また、従来の通信媒体選定装置では、ＳＳサービス、ＰＤＳサービスごとに利用可能な通信媒体属性の判断を実施していない。そのため、ＰＤＳサービスでは、ＰＤＳ設備収容部の実装が可能な収容設備属性の登録が不可能なケーブル属性の組み合わせであるにもかかわらず、このケーブルの使用可能心線を取得し、実工事でＰＤＳ設備の登録が不可能となる問題がある。
【００３５】
また、例えば新たな収容設備属性を新設するときに、架空点設備に布設されている光ファイバケーブル１条に対して２個以上の収容設備属性が登録されていればこれ以上の新設は不可能である。しかし、従来の通信媒体選定装置では、収容設備属性ごとの収容可能条件および収容設備登録条件を判断する手段がないため、選定後に人手により確認しなければならない問題がある。
【００３６】
また、収容設備属性にＰＤＳ設備が実装されているときに、収容設備属性からの引込線の収容が不可能な収容設備属性であっても、収容設備属性の収容状況算出手段がないことから、利用可能なＰＤＳ設備が存在すると判断して使用可能心線を選定してしまう問題がある。
【００３７】
また、現在の心線選定を実施するときに上記の内容を工事実施の際に確認し、条件を満足しない場合、再度必要情報を収集して心線選定を実施する必要がある。そのため、工事と心線選定作業を繰り返し行うことになってしまい、サービス提供期日に間に合わない問題がある。
【００３８】
また、ＰＤＳ設備を利用してサービス提供を行う設備形態の場合、１心の心線にＰＤＳ設備を接続し、複数の需要に対してサービスを提供することが可能である。しかし、目的のＰＤＳ設備データを予め登録しておかないと、配線点で同一のサービス需要が発生しても新たな心線を取得してしまい、心線使用率の向上を図ることができない問題がある。また、目的のＰＤＳ設備データが登録されていない場合には、過去に同一配線点で目的とする需要が発生していたかどうかについて、人手で確認しなければならない問題がある。
【００３９】
本発明は、各点設備のケーブル属性と収容設備属性の組み合わせおよび収容設備属性の収容状況を算出し、ユーザの最寄の点設備から需要目的にあった収容可能な収容設備属性から、ケーブル属性と収容設備属性の組み合わせにより心線運用方法を考慮し、使用可能通信媒体を選定することができる通信媒体選定装置、通信媒体選定方法、および通信媒体選定プログラムを提供することを目的とする。
【課題を解決するための手段】
【００４０】
第１の発明は通信媒体選定装置、第２の発明は通信媒体選定方法、第３の発明は通信媒体選定プログラムである。以下に示す各手段には、参考のために図１〜図８に示す各部に対応する符号をカッコ書きで記している。
【００４１】
第１の発明は、複数の通信媒体をまとめて構成される通信媒体集合体をさらに複数まとめて形成されるケーブルから需要に応じた通信媒体を選定する通信媒体選定装置において、通信媒体の接続または分岐を行うためにケーブルに沿って配置された点設備の特性である点設備属性を記憶する点設備属性記憶手段（１０７）と、点設備ごとにケーブルの特性であるケーブル属性を記憶するケーブル記憶手段（１１０）と、点設備ごとに、点設備に設けられた設備であって、ケーブルを収容するとともに通信媒体の接続または分岐を行う収容設備の特性である収容設備属性を記憶する収容設備記憶手段（１２０）と、点設備ごとに収容設備に含まれるＰＤＳ設備の特性であるＰＤＳ設備属性を記憶するＰＤＳ設備記憶手段（１３０）と、点設備ごとに収容設備に含まれる引込線の特性である引込線属性を記憶する引込線属性記憶手段（１０８）と、収容設備ごとに、ケーブル属性、収容設備属性、ＰＤＳ設備属性、引込線属性に応じて、ケーブル内の通信媒体と引込線とＰＤＳ設備との接続・切断関係を示す接続特定情報を記憶する収容設備内接続記憶手段（１８０）と、収容設備ごとに接続特定情報を読み出し、各収容設備の使用状況および使用率を算出する収容設備収容数算出手段（１４０）と、通信媒体の需要に対して求められるサービス内容より該サービスを提供する上で必要とする収容設備の収容設備属性を判断するサービス特性記憶手段（１７０）と、収容設備収容数算出手段で算出された各収容設備の使用状況および使用率と、サービス特性記憶手段で判断された収容設備属性とを比較し、その比較結果に応じて、点設備を通過するケーブルから通信媒体を取り出す点である配線点を特定する配線点特定手段（１６０）と、配線点特定手段で特定された配線点で、サービス特性記憶手段の判断に基づいて、需要に対してサービス提供可能な収容設備属性の収容設備から通信媒体を選定する選定手段（１５０）とを備える。
【００４２】
第１の発明の通信媒体選定装置において、配線点特定手段（１６０）は、需要の発生した最寄りの点設備で、収容設備収容数算出手段（１４０）で算出された各収容設備の使用率と、サービス特性記憶手段（１７０）で判断された収容設備属性とを比較し、サービスを提供する収容設備が存在するか否かを判断する提供可能収容設備判断手段（１６１）と、提供可能収容設備判断手段（１６１）で提供可能な収容設備が存在しないと判断された場合に、提供可能な収容設備をケーブルに沿って検索する収容設備検索手段（１６２）と、提供可能収容設備判断手段（１６１）で提供可能な収容設備であると判断された場合にこの収容設備を配線点と特定して記憶し、提供可能収容設備判断手段（１６１）で提供可能な収容設備が存在しないと判断された場合に収容設備検索手段（１６２）で検索された収容設備を配線点と特定して記憶する配線点特定記憶手段（１６５）と、収容設備検索手段（１６２）の検索により提供可能な収容設備が存在しない場合に、ケーブルに沿って新たな収容設備の取付が可能な点設備が存在するか否かを検索する取付予定収容設備検索手段（１６３）と、点設備属性とケーブル属性ごとに登録可能な収容設備の優先順位を予め設定した収容設備優先登録設定手段（１６４）とを備え、配線点特定記憶手段（１６５）は、取付予定収容設備検索手段（１６３）の検索により新たに収容設備の取付が可能な点設備が存在した場合に、収容設備優先登録設定手段（１６４）からその点設備における点設備属性とケーブル属性の組み合わせに対応する収容設備の優先順位を読み出し、その優先順位に基づく収容設備の収容設備属性をその点設備に対応させて登録するために収容設備記憶手段（１２０）を更新し、その点設備を配線点として特定して記憶し、選定手段（１５０）は、配線点特定記憶手段（１６５）で特定された配線点における収容設備属性の収容設備から通信媒体を選定する。
【００４３】
第１の発明の通信媒体選定装置において、選定手段（１５０）は、サービス特性記憶手段（１７０）の判断に基づいて、ケーブルに収容された使用可能心線を選定するか、ＰＤＳ設備から使用可能設備を選定するかを判断する通信媒体選定判断手段（１５１）と、通信媒体選定判断手段（１５１）で判断された通信媒体がＰＤＳ設備の場合に、使用可能なＰＤＳ設備があればそれを選定し、使用可能なＰＤＳ設備がなければ収容設備で切断せずに利用可能な心線が存在するか否かを判断し、通信媒体選定判断手段（１５１）で判断された通信媒体がＰＤＳ設備でない場合に、配線点特定手段（１６０）で特定された配線点情報を元に該収容設備で切断せずに利用可能な心線が存在するか否かを判断する心線切断判断手段（１５５）と、点設備属性、ケーブル属性および収容設備属性の組み合わせに対する心線運用方法を予め設定した心線運用方法設定手段（１５４）と、心線切断判断手段（１５５）で利用可能な心線が存在せずに心線の切断が必要と判断した場合に、配線点特定手段（１６０）で特定された配線点情報を元に、点設備属性記憶手段（１０７）から読み出した点設備属性と、ケーブル記憶手段（１１０）から読み出したケーブル属性と、収容設備記憶手段（１２０）から読み出した収容設備属性の組み合わせに対して、心線運用方法設定手段（１５４）から配線点での心線運用方法を特定する心線運用方法特定手段（１５３）と、通信媒体の優先順位を予め設定した通信媒体優先順位設定手段（１５２）と、心線運用方法特定手段（１５３）で特定された心線運用方法よりケーブル内心線の切断方法を心線切断判断手段（１５５）で判断し、通信媒体優先順位設定手段（１５２）の優先順位により目的のＰＤＳ設備に接続する心線を選定するための通信媒体を選定する通信媒体選定手段（１５６）と、ＰＤＳサービス内容ごとにＰＤＳ設備の優先順位を予め設定したＰＤＳ優先登録設定手段（１５７）とを備え、収容設備収容数算出手段（１４０）から配線点の各収容設備の収容可能条件と、心線を包含するケーブルのケーブル属性および収容設備の収容設備属性と、ＰＤＳ優先登録設定手段（１５７）に設定されたＰＤＳ設備の優先順位を比較し、得られたＰＤＳ設備のＰＤＳ設備属性を収容設備属性としてＰＤＳ設備記憶手段（１３０）に記憶させ、かつ該ＰＤＳ設備から使用可能設備を選定し、心線切断判断手段（１５５）で心線の切断が必要と判断した場合に、心線運用方法特定手段（１５３）で特定された心線運用方法によりケーブルの心線の切断方法を判断し、その切断方法を元に通信媒体優先順位設定手段（１５２）の優先順位により目的のＰＤＳ設備に接続する心線を選定するための通信媒体を選定し、この選定結果を収容設備収容数算出手段（１４０）に更新記憶する。
【００４４】
また、選定手段（１５０）は、優先順位に基づき心線運用方法特定手段（１５３）で判断された結果が、心線の集合体であるテープ媒体を運用するテープ運用方法であった場合に、通信媒体優先順位設定手段（１５２）から通信媒体の優先順位を読み出し、この優先順位に基づいて心線切断判断手段（１５５）でテープ単位で心線が使用可能と判断されるテープ媒体を切断可能と判断し、そのテープ媒体を選定対象とし、かつテープ媒体に含まれる目的の心線を取得して他の心線に対して切断予定を設定し、優先順位に基づき心線運用方法特定手段（１５３）で判断された結果が、心線の集合体であるテープ媒体の１心線のみを分離して運用可能な単心分離運用方法であった場合に、通信媒体優先順位設定手段（１５２）から通信媒体の優先順位を読み出し、この優先順位に基づいて心線切断判断手段（１５５）でテープ媒体に含まれる心線に使用可能な心線が存在した場合に、目的の心線のみをテープ媒体から分離切断して使用すると判断し、その心線を選定対象とし、優先順位に基づき心線運用方法特定手段（１５３）で判断された結果が、予め心線が分離された心線集合体である単心運用方法であった場合に、通信媒体優先順位設定手段（１５２）から通信媒体の優先順位を読み出し、この優先順位に基づいて心線切断判断手段（１５５）で使用可能と判断される心線を選定対象としてもよい。
【００４５】
第１の発明の通信媒体選定装置において、ケーブル記憶手段（１１０）は、点設備ごとに、ケーブルの上部および下部のケーブル属性を記憶するケーブル属性記憶手段（１１１）と、収容設備ごとに、ケーブル属性ごとに登録可能な収容設備属性の条件を設定する収容設備登録条件設定手段（１１２）と、ケーブル属性記憶手段（１１１）に記憶したケーブル属性ごとの接続状態を収容設備内接続記憶手段（１８０）に記憶させ、収容設備登録条件設定手段（１１２）からケーブル属性ごとに収容設備属性の条件を読み出し、各点設備ごとに需要の目的に一致したケーブル属性であるか否かを判断するケーブル属性判断手段（１１３）と、ケーブル属性判断手段（１１３）から提供可能なケーブルのケーブル属性を読み出し、このケーブル属性を特定して出力するケーブル特定判断手段（１１４）とを備える。
【００４６】
第１の発明の通信媒体選定装置において、収容設備記憶手段（１２０）は、点設備属性記憶手段（１０７）で記憶される点設備ごとの収容設備属性を記憶する収容設備属性記憶手段（１２１）と、収容設備属性記憶手段（１２１）に記憶された収容設備属性が点設備に登録されたどのケーブルに登録されたものかを記憶する収容設備登録状態記憶手段（１２２）と、収容設備属性ごとに、点設備および登録可能個数条件を予め設定する収容設備登録設定手段（１２３）と、収容設備登録設定手段（１２３）から点設備および登録可能個数条件を読み出し、収容設備属性ごとに、通信媒体選定で目的に一致した収容設備属性であるか否かを判断する収容設備判断手段（１２４）と、収容設備判断手段（１２４）から提供可能な収容設備の収容設備属性を読み出し、この収容設備属性を特定して出力する収容設備特定手段（１２５）とを備える。
【００４７】
第１の発明の通信媒体選定装置において、ＰＤＳ設備記憶手段（１３０）は、点設備属性記憶手段（１０７）で記憶される点設備ごとのＰＤＳ設備属性を記憶するＰＤＳ設備属性記憶手段（１３１）と、ＰＤＳ設備属性記憶手段（１３１）に記憶されたＰＤＳ設備属性が収容設備記憶手段（１２０）に記憶されたどの収容設備属性に登録されたものかを記憶するＰＤＳ設備収容設備登録状態記憶手段（１３２）と、ＰＤＳ設備属性ごとに、登録可能な収容設備属性を予め設定するＰＤＳ設備収容設備登録設定手段（１３３）と、ＰＤＳ設備属性ごとに、通信媒体選定で目的に一致したＰＤＳ設備属性であるか否かを判断するＰＤＳ設備属性判断手段（１３４）と、ＰＤＳ設備属性判断手段（１３４）から提供可能なＰＤＳ設備のＰＤＳ設備属性を読み出し、このＰＤＳ設備属性を特定して出力するＰＤＳ設備特定手段（１３５）とを備え、ＰＤＳ設備属性を新たに登録する場合には、該ＰＤＳ設備属性が登録可能な収容設備属性であるか否かをＰＤＳ設備収容設備登録設定手段（１３３）から判断し、登録可能であれば収容設備収容数算出手段（１４０）から読み込んだＰＤＳ設備収容条件を満足しているか否かを判断し、その条件を満足している場合はＰＤＳ設備属性記憶手段（１３１）に新たにＰＤＳ設備属性を記憶し、その条件を満足していない場合はエラーとして処理し、さらに該ＰＤＳ設備属性が登録不可能な収容設備属性であればエラーとして登録処理を中止する。
【００４８】
第１の発明の通信媒体選定装置において、収容設備収容数算出手段（１４０）は、ケーブル記憶手段（１１０）で利用可能と判断されたケーブルのケーブル属性と、収容設備記憶手段（１２０）で利用可能と判断された収容設備の収容設備属性と、収容設備記憶手段（１２０）で特定された収容設備属性に対してＰＤＳ設備記憶手段（１３０）に記憶されたＰＤＳ設備属性と、引込線属性記憶手段（１０８）に記憶され、収容設備記憶手段（１２０）で特定された収容設備属性ごとに登録されている引込線属性とを各点設備ごとに読み出し、この読み出した属性により収容設備内接続記憶手段（１８０）に記憶された接続特定情報を各収容設備ごとに読み出し、各収容設備属性の収容状況を算出する収容設備収容状況算出手段（１４１）と、各収容設備属性ごとのケーブル収容条件、ＰＤＳ設備収容条件、引込線収容条件、接続可能条件および未接続心線条件を予め設定する収容設備収容条件設定手段（１４２）と、収容設備収容条件設定手段（１４２）から各条件を読み出し、各収容設備属性における使用率を記憶する収容設備使用率記憶手段（１４３）と、通信媒体を選定するごとに、選定された収容設備属性における使用率を計算し、この使用率を収容設備使用率記憶手段（１４３）に更新設定する収容設備使用率計算手段（１４４）と、収容設備収容状況算出手段（１４１）で算出された収容状況と、収容設備収容条件設定手段（１４２）から読み出した条件とを比較し、収容設備属性が新たな需要を収容できるか否かを判断する収容状態判断手段（１４５）とを備え、収容状態判断手段（１４５）が新たな需要を収容できる収容設備属性であると判断した場合に、配線点特定手段（１６０）が、各収容設備属性における使用率を収容設備使用率記憶手段（１４３）から読み出して比較し、その比較結果に基づいて配線点を特定する。
【００４９】
第１の発明の通信媒体選定装置において、サービス特性記憶手段（１７０）は、通信媒体の需要に対して求められるサービス内容を記憶し、そのサービス内容がＳＳサービスかＰＤＳサービスかを判断するサービス内容判断手段（１７１）と、各サービスを提供する上で必要とする収容設備の収容設備属性をサービス提供条件として予め設定したサービス提供条件設定手段（１７２）と、サービス内容判断手段（１７１）で判断されたサービス内容について、サービス提供条件設定手段（１７２）を参照して該サービスを提供する上で必要とする収容設備の収容設備属性であるか否かを判断するサービス提供設備判断手段（１７３）とを備え、選定手段（１５０）は、サービス提供設備判断手段（１７３）の判断に基づいて、需要に対してサービス提供可能な収容設備属性の収容設備から通信媒体を選定する。
【００５０】
第２の発明は、複数の通信媒体をまとめて構成される通信媒体集合体をさらに複数まとめて形成されるケーブルから需要に応じた通信媒体を選定する通信媒体選定方法において、点設備属性記憶手段（１０７）が、通信媒体の接続または分岐を行うためにケーブルに沿って配置された点設備の特性である点設備属性を記憶し、ケーブル記憶手段（１１０）が、点設備ごとにケーブルの特性であるケーブル属性を記憶し、収容設備記憶手段（１２０）が、点設備ごとに、点設備に設けられた設備であって、ケーブルを収容するとともに通信媒体の接続または分岐を行う収容設備の特性である収容設備属性を記憶し、ＰＤＳ設備記憶手段（１３０）が、点設備ごとに収容設備に含まれるＰＤＳ設備の特性であるＰＤＳ設備属性を記憶し、引込線属性記憶手段（１０８）が、点設備ごとに収容設備に含まれる引込線の特性である引込線属性を記憶し、収容設備内接続記憶手段（１８０）が、収容設備ごとに、ケーブル属性、収容設備属性、ＰＤＳ設備属性、引込線属性に応じて、ケーブル内の通信媒体と引込線とＰＤＳ設備との接続・切断関係を示す接続特定情報を記憶し、収容設備収容数算出手段（１４０）が、収容設備ごとに接続特定情報を読み出し、各収容設備の使用状況および使用率を算出し、サービス特性記憶手段（１７０）が、通信媒体の需要に対して求められるサービス内容より該サービスを提供する上で必要とする収容設備の収容設備属性を判断し、配線点特定手段（１６０）が、収容設備収容数算出手段で算出された各収容設備の使用状況および使用率と、サービス特性記憶手段で判断された収容設備属性とを比較し、その比較結果に応じて、点設備を通過するケーブルから通信媒体を取り出す点である配線点を特定し、選定手段（１５０）が、配線点特定手段（１６０）で特定された配線点で、サービス特性記憶手段（１７０）の判断に基づいて、需要に対してサービス提供可能な収容設備属性の収容設備から通信媒体を選定する。
【００５１】
第２の発明の通信媒体選定方法において、配線点特定手段（１６０）では、提供可能収容設備判断手段（１６１）が、需要の発生した最寄りの点設備で、収容設備収容数算出手段（１４０）で算出された各収容設備の使用率と、サービス特性記憶手段（１７０）で判断された収容設備属性とを比較し、サービスを提供する収容設備が存在するか否かを判断し、収容設備検索手段（１６２）が、提供可能収容設備判断手段（１６１）で提供可能な収容設備が存在しないと判断された場合に、提供可能な収容設備をケーブルに沿って検索し、配線点特定記憶手段（１６５）が、提供可能収容設備判断手段（１６１）で提供可能な収容設備であると判断された場合にこの収容設備を配線点と特定して記憶し、提供可能収容設備判断手段（１６１）で提供可能な収容設備が存在しないと判断された場合に収容設備検索手段（１６２）で検索された収容設備を配線点と特定して記憶し、取付予定収容設備検索手段（１６３）が、収容設備検索手段（１６２）の検索により提供可能な収容設備が存在しない場合に、ケーブルに沿って新たな収容設備の取付が可能な点設備が存在するか否かを検索し、収容設備優先登録設定手段（１６４）が、点設備属性とケーブル属性ごとに登録可能な収容設備の優先順位を予め設定し、配線点特定記憶手段（１６５）は、取付予定収容設備検索手段（１６３）の検索により新たに収容設備の取付が可能な点設備が存在した場合に、収容設備優先登録設定手段（１６４）からその点設備における点設備属性とケーブル属性の組み合わせに対応する収容設備の優先順位を読み出し、その優先順位に基づく収容設備の収容設備属性をその点設備に対応させて登録するために収容設備記憶手段（１２０）を更新し、その点設備を配線点として特定して記憶し、選定手段（１５０）は、配線点特定記憶手段（１６５）で特定された配線点における収容設備属性の収容設備から通信媒体を選定する。
【００５２】
第２の発明の通信媒体選定方法において、選定手段（１５０）では、通信媒体選定判断手段（１５１）が、サービス特性記憶手段（１７０）の判断に基づいて、ケーブルに収容された使用可能心線を選定するか、ＰＤＳ設備から使用可能設備を選定するかを判断し、心線切断判断手段（１５５）が、通信媒体選定判断手段（１５１）で判断された通信媒体がＰＤＳ設備の場合に、使用可能なＰＤＳ設備があればそれを選定し、使用可能なＰＤＳ設備がなければ収容設備で切断せずに利用可能な心線が存在するか否かを判断し、通信媒体選定判断手段（１５１）で判断された通信媒体がＰＤＳ設備でない場合に、配線点特定手段（１６０）で特定された配線点情報を元に該収容設備で切断せずに利用可能な心線が存在するか否かを判断し、心線運用方法設定手段（１５４）が、点設備属性、ケーブル属性および収容設備属性の組み合わせに対する心線運用方法を予め設定し、心線運用方法特定手段（１５３）が、心線切断判断手段（１５５）で利用可能な心線が存在せずに心線の切断が必要と判断した場合に、配線点特定手段（１６０）で特定された配線点情報を元に、点設備属性記憶手段（１０７）から読み出した点設備属性と、ケーブル記憶手段（１１０）から読み出したケーブル属性と、収容設備記憶手段（１２０）から読み出した収容設備属性の組み合わせに対して、心線運用方法設定手段（１５４）から配線点での心線運用方法を特定し、通信媒体優先順位設定手段（１５２）が、通信媒体の優先順位を予め設定し、通信媒体選定手段（１５６）が、心線運用方法特定手段（１５３）で特定された心線運用方法よりケーブル内心線の切断方法を心線切断判断手段（１５５）で判断し、通信媒体優先順位設定手段（１５３）の優先順位により目的のＰＤＳ設備に接続する心線を選定するための通信媒体を選定し、ＰＤＳ優先登録設定手段（１５７）が、ＰＤＳサービス内容ごとにＰＤＳ設備の優先順位を予め設定し、収容設備収容数算出手段（１４０）から配線点の各収容設備の収容可能条件と、心線を包含するケーブルのケーブル属性および収容設備の収容設備属性と、ＰＤＳ優先登録設定手段（１５７）に設定されたＰＤＳ設備の優先順位を比較し、得られたＰＤＳ設備のＰＤＳ設備属性を収容設備属性としてＰＤＳ設備記憶手段（１３０）に記憶させ、かつ該ＰＤＳ設備から使用可能設備を選定し、心線切断判断手段（１５５）で心線の切断が必要と判断した場合に、心線運用方法特定手段（１５３）で特定された心線運用方法によりケーブルの心線の切断方法を判断し、その切断方法を元に通信媒体優先順位設定手段（１５２）の優先順位により目的のＰＤＳ設備に接続する心線を選定するための通信媒体を選定し、この選定結果を収容設備収容数算出手段（１４０）に更新記憶する。
【００５３】
また、選定手段（１５０）では、優先順位に基づき心線運用方法特定手段（１５３）で判断された結果が、心線の集合体であるテープ媒体を運用するテープ運用方法であった場合に、通信媒体優先順位設定手段（１５２）から通信媒体の優先順位を読み出し、この優先順位に基づいて心線切断判断手段（１５５）でテープ単位で心線が使用可能と判断されるテープ媒体を切断可能と判断し、そのテープ媒体を選定対象とし、かつテープ媒体に含まれる目的の心線を取得して他の心線に対して切断予定を設定し、優先順位に基づき心線運用方法特定手段（１５３）で判断された結果が、心線の集合体であるテープ媒体の１心線のみを分離して運用可能な単心分離運用方法であった場合に、通信媒体優先順位設定手段（１５２）から通信媒体の優先順位を読み出し、この優先順位に基づいて心線切断判断手段（１５５）でテープ媒体に含まれる心線に使用可能な心線が存在した場合に、目的の心線のみをテープ媒体から分離切断して使用すると判断し、その心線を選定対象とし、優先順位に基づき心線運用方法特定手段（１５３）で判断された結果が、予め心線が分離された心線集合体である単心運用方法であった場合に、通信媒体優先順位設定手段（１５２）から通信媒体の優先順位を読み出し、この優先順位に基づいて心線切断判断手段（１５５）で使用可能と判断される心線を選定対象としてもよい。
【００５４】
第２の発明の通信媒体選定方法において、ケーブル記憶手段（１１０）では、ケーブル属性記憶手段（１１１）が、点設備ごとに、ケーブルの上部および下部のケーブル属性を記憶し、収容設備登録条件設定手段（１１２）が、収容設備ごとに、ケーブル属性ごとに登録可能な収容設備属性の条件を設定し、ケーブル属性判断手段（１１３）が、ケーブル属性記憶手段（１１１）に記憶したケーブル属性ごとの接続状態を収容設備内接続記憶手段（１８０）に記憶させ、収容設備登録条件設定手段（１１２）からケーブル属性ごとに収容設備属性の条件を読み出し、各点設備ごとに需要の目的に一致したケーブル属性であるか否かを判断し、ケーブル特定判断手段（１１４）が、ケーブル属性判断手段（１１３）から提供可能なケーブルのケーブル属性を読み出し、このケーブル属性を特定して出力する。
【００５５】
第２の発明の通信媒体選定方法において、収容設備記憶手段（１２０）では、収容設備属性記憶手段（１２１）が、点設備属性記憶手段（１０７）で記憶される点設備ごとの収容設備属性を記憶し、収容設備登録状態記憶手段（１２２）が、収容設備属性記憶手段（１２１）に記憶された収容設備属性が点設備に登録されたどのケーブルに登録されたものかを記憶し、収容設備登録設定手段（１２３）が、収容設備属性ごとに、点設備および登録可能個数条件を予め設定し、収容設備判断手段（１２４）が、収容設備登録設定手段（１２３）から点設備および登録可能個数条件を読み出し、収容設備属性ごとに、通信媒体選定で目的に一致した収容設備属性であるか否かを判断し、収容設備特定手段（１２５）が、収容設備判断手段（１２４）から提供可能な収容設備の収容設備属性を読み出し、この収容設備属性を特定して出力する。
【００５６】
第２の発明の通信媒体選定方法において、ＰＤＳ設備記憶手段（１３０）では、ＰＤＳ設備属性記憶手段（１３１）が、点設備属性記憶手段（１０７）で記憶される点設備ごとのＰＤＳ設備属性を記憶し、ＰＤＳ設備収容設備登録状態記憶手段（１３２）が、ＰＤＳ設備属性記憶手段（１３１）に記憶されたＰＤＳ設備属性が収容設備記憶手段（１２０）に記憶されたどの収容設備属性に登録されたものかを記憶し、ＰＤＳ設備収容設備登録設定手段（１３３）が、ＰＤＳ設備属性ごとに、登録可能な収容設備属性を予め設定し、ＰＤＳ設備属性判断手段（１３４）が、ＰＤＳ設備属性ごとに、通信媒体選定で目的に一致したＰＤＳ設備属性であるか否かを判断し、ＰＤＳ設備特定手段（１３５）が、ＰＤＳ設備属性判断手段（１３４）から提供可能なＰＤＳ設備のＰＤＳ設備属性を読み出し、このＰＤＳ設備属性を特定して出力し、ＰＤＳ設備属性を新たに登録する場合には、該ＰＤＳ設備属性が登録可能な収容設備属性であるか否かをＰＤＳ設備収容設備登録設定手段（１３３）から判断し、登録可能であれば収容設備収容数算出手段（１４０）から読み込んだＰＤＳ設備収容条件を満足しているか否かを判断し、その条件を満足している場合はＰＤＳ設備属性記憶手段（１３１）に新たにＰＤＳ設備属性を記憶し、その条件を満足していない場合はエラーとして処理し、さらに該ＰＤＳ設備属性が登録不可能な収容設備属性であればエラーとして登録処理を中止する。
【００５７】
第２の発明の通信媒体選定方法において、収容設備収容数算出手段（１４０）では、収容設備収容状況算出手段（１４１）が、ケーブル記憶手段（１１０）で利用可能と判断されたケーブルのケーブル属性と、収容設備記憶手段（１２０）で利用可能と判断された収容設備の収容設備属性と、収容設備記憶手段（１２０）で特定された収容設備属性に対してＰＤＳ設備記憶手段（１３０）に記憶されたＰＤＳ設備属性と、引込線属性記憶手段（１０８）に記憶され、収容設備記憶手段（１２０）で特定された収容設備属性ごとに登録されている引込線属性とを各点設備ごとに読み出し、この読み出した属性により収容設備内接続記憶手段（１８０）に記憶された接続特定情報を各収容設備ごとに読み出し、各収容設備属性の収容状況を算出し、収容設備収容条件設定手段（１４２）が、各収容設備属性ごとのケーブル収容条件、ＰＤＳ設備収容条件、引込線収容条件、接続可能条件および未接続心線条件を予め設定し、収容設備使用率記憶手段（１４３）が、収容設備収容条件設定手段（１４２）から各条件を読み出し、各収容設備属性における使用率を記憶し、通信媒体を選定するごとに、収容設備使用率計算手段（１４４）が、選定された収容設備属性における使用率を計算し、この使用率を収容設備使用率記憶手段（１４３）に更新設定し、収容状態判断手段（１４５）が、収容設備収容状況算出手段（１４１）で算出された収容状況と、収容設備収容条件設定手段（１４２）から読み出した条件とを比較し、収容設備属性が新たな需要を収容できるか否かを判断し、収容状態判断手段（１４５）が新たな需要を収容できる収容設備属性であると判断した場合に、配線点特定手段（１６０）が、各収容設備属性における使用率を収容設備使用率記憶手段（１４３）から読み出して比較し、その比較結果に基づいて配線点を特定する。
【００５８】
第２の発明の通信媒体選定方法において、サービス特性記憶手段（１７０）では、サービス内容判断手段（１７１）が、通信媒体の需要に対して求められるサービス内容を記憶し、そのサービス内容がＳＳサービスかＰＤＳサービスかを判断し、サービス提供条件設定手段（１７２）が、各サービスを提供する上で必要とする収容設備の収容設備属性をサービス提供条件として予め設定し、サービス提供設備判断手段（１７３）が、サービス内容判断手段（１７１）で判断されたサービス内容について、サービス提供条件設定手段（１７２）を参照して該サービスを提供する上で必要とする収容設備の収容設備属性であるか否かを判断し、選定手段（１５０）は、サービス提供設備判断手段（１７３）の判断に基づいて、需要に対してサービス提供可能な収容設備属性の収容設備から通信媒体を選定する。
【００５９】
第３の発明の通信媒体選定プログラムは、第２の発明の各手段をコンピュータプログラムで実現する。
【発明の効果】
【００６０】
本発明では、需要の目的に合ったケーブル属性、収容設備属性の組み合わせに合った配線点および収容設備属性を検索して通信媒体の選定を行うので、配線点を効率的に特定できる。すなわち、収容不可能な収容設備属性から通信媒体を選定することがなくなり、選定のやり直しがなく、選定処理の効率化および迅速化を図ることができる。
【００６１】
また、目的の収容設備属性が存在しない場合、目的とするケーブル属性に新たな収容設備属性の取付が可能な点設備が存在するか否かを検索することにより、登録可能な点設備を人手により確認する必要がなく、選定処理の効率化および迅速化を図ることができる。
【００６２】
また、目的の収容設備属性に目的とするＰＤＳ設備属性がない、または使用可能設備が存在しない場合、収容可能条件を確認した上で、該収容設備属性の収容可能数に合った優先順位に基づき、ＰＤＳ設備のデータ登録を行うことにより、該収容設備属性にて同一の目的とする需要が発生した場合に、新たな心線を取得することなく設備の有効利用を図ることができる。さらに引込線収容可能数を加味したデータ登録を行うことにより設備の有効利用を図ることができ、収容設備属性への収容可能条件を人手により確認する必要がなく、選定処理の効率化および迅速化を図ることができる。
【発明を実施するための最良の形態】
【００６３】
図１は、本発明の通信媒体選定装置の実施形態を示す。
図において、通信媒体選定装置は、制御部１００、ケーブル記憶手段を構成するケーブル記憶部１１０、収容設備記憶手段を構成する収容設備記憶部１２０、ＰＤＳ設備記憶手段を構成するＰＤＳ設備記憶部１３０、収容設備収容数算出手段を構成する収容設備収容数算出部１４０、通信媒体の選定手段を構成する選定部１５０、配線点特定手段を構成する配線点特定部１６０、サービス特性記憶手段を構成するサービス特性記憶部１７０、収容設備内接続記憶手段を構成する収容設備内接続記憶部１８０、点設備属性記憶手段を構成する点設備属性記憶部１０７、引込線属性記憶手段を構成する引込線属性記憶部１０８、コマンド処理部１０１、入力部１０２、出力部１０３、入出力インタフェース部１０４から構成され、入出力インタフェース部１０４に入出力装置１０５およびネットワーク１０６が接続される。
【００６４】
点設備属性記憶部１０７は、通信媒体の接続および分岐を行うためにケーブルに沿って配置された点設備の属性を記憶する。ケーブル記憶部１１０は、点設備ごとにケーブルの属性を記憶する。収容設備記憶部１２０は、点設備ごとにケーブルを収容する収容設備の属性を記憶する。ＰＤＳ設備記憶部１３０は、点設備ごとにケーブルを収容する収容設備に含まれるＰＤＳ設備の属性を記憶する。引込線属性記憶部１０８は、点設備ごとにケーブルを収容する収容設備に含まれる引込線の属性を記憶する。収容設備内接続記憶部１８０は、収容設備ごとに、ケーブルの属性、収容設備の属性、ＰＤＳ設備の属性、引込線の属性に応じて、ケーブル内の通信媒体と引込線とＰＤＳ設備との接続・切断関係を示す接続特定情報を記憶する。収容設備収容数算出部１４０は、収容設備ごとに接続特定情報を読み出し、各収容設備の使用状況および使用率を算出する。サービス特性記憶部１７０は、通信媒体の需要に対して求められるサービス内容より各収容設備の利用状況を判断する。配線点特定部１６０は、収容設備収容数算出手段で算出された各収容設備の使用状況および使用率と、サービス特性記憶手段で判断された各収容設備の利用状況とを比較し、その比較結果に応じて配線点を特定する。選定部１５０は、配線点特定手段で特定された配線点で、ケーブルから通信媒体を選定する。
【００６５】
図２は、ケーブル記憶部１１０の構成例を示す。図において、ケーブル記憶部１１０は、ケーブル属性記憶手段を構成するケーブル属性記憶部１１１、収容設備登録条件設定手段を構成する収容設備登録条件設定部１１２、ケーブル属性判断手段を構成するケーブル属性判断部１１３、ケーブル特定手段を構成するケーブル特定判断部１１４から構成される。
【００６６】
ケーブル属性記憶部１１１は、点設備ごとに、ケーブルの上部および下部のケーブル属性を記憶する。収容設備登録条件設定部１１２は、収容設備ごとに、ケーブル属性ごとに登録可能な収容設備属性の条件を設定する。ケーブル属性判断部１１３は、ケーブル属性記憶部１１１に記憶したケーブル属性ごとの接続状態を収容設備内接続記憶部１８０に記憶させ、収容設備登録条件設定部１１２からケーブル属性ごとに収容設備属性の条件を読み出し、各点設備ごとに需要の目的に一致したケーブル属性であるか否かを判断する。ケーブル特定判断部１１４は、選定に当たってケーブル属性判断部１１３から提供可能なケーブルを読み出し、この読み出したケーブルを特定して出力する。
【００６７】
図３は、収容設備記憶部１２０の構成例を示す。図において、収容設備記憶部１２０は、収容設備属性記憶手段を構成する収容設備属性記憶部１２１、収容設備登録状態記憶手段を構成する収容設備登録状態記憶部１２２、収容設備登録設定手段を構成する収容設備登録設定部１２３、収容設備判断手段を構成する収容設備判断部１２４、収容設備特定手段を構成する収容設備特定部１２５から構成される。
【００６８】
収容設備属性記憶部１２１は、点設備属性記憶部１０７で記憶される点設備ごとの収容設備属性を記憶する。収容設備登録状態記憶部１２２は、収容設備属性記憶部１２１に記憶された収容設備属性が点設備に布設されたどのケーブルに登録されたものかを記憶する。収容設備登録設定部１２３は、収容設備属性ごとに、点設備および登録可能個数条件を予め設定する。収容設備判断部１２４は、収容設備登録設定部１２３から点設備および登録可能個数条件を読み出し、収容設備属性ごとに、通信媒体選定で目的に一致した収容設備属性であるか否かを判断する。収容設備特定部１２５は、通信媒体の選定に当たって、収容設備判断部１２４から提供可能な収容設備属性を読み出し、この収容設備属性を特定して出力する。
【００６９】
図４は、ＰＤＳ設備記憶部１３０の構成例を示す。図において、ＰＤＳ設備記憶部１３０は、ＰＤＳ設備属性記憶手段を構成するＰＤＳ設備属性記憶部１３１、ＰＤＳ設備収容設備登録状態記憶手段を構成するＰＤＳ設備収容設備登録状態記憶部１３２、ＰＤＳ設備収容設備登録設定手段を構成するＰＤＳ設備収容設備登録設定部１３３、ＰＤＳ設備属性判断手段を構成するＰＤＳ設備属性判断部１３４、ＰＤＳ設備特定手段を構成するＰＤＳ設備特定部１３５から構成される。
【００７０】
ＰＤＳ設備属性記憶部１３１は、点設備属性記憶部１０７で記憶される点設備ごとのＰＤＳ設備属性を記憶する。ＰＤＳ設備収容設備登録状態記憶部１３２は、ＰＤＳ設備属性記憶部１３１に記憶されたＰＤＳ設備属性が収容設備記憶部１２０に記憶されたどの収容設備属性に登録されたものかを記憶する。ＰＤＳ設備収容設備登録設定部１３３は、ＰＤＳ設備属性ごとに、登録可能な収容設備属性を予め設定する。ＰＤＳ設備属性判断部１３４は、ＰＤＳ設備属性ごとに、通信媒体選定で目的に一致したＰＤＳ設備属性であるか否かを判断する。ＰＤＳ設備特定部１３５は、通信媒体の選定に当たって、ＰＤＳ設備属性判断部１３４から提供可能なＰＤＳ設備属性を読み出し、このＰＤＳ設備属性を特定して出力する。
【００７１】
ここで、ＰＤＳ設備属性を新たに登録する場合には、該ＰＤＳ設備属性が登録可能な収容設備属性であるか否かをＰＤＳ設備収容設備登録設定部１３３から判断し、登録可能であれば収容設備収容数算出部１４０から読み込んだＰＤＳ設備収容条件を満足しているか否かを判断し、その条件を満足している場合はＰＤＳ設備属性記憶部１３１に新たにＰＤＳ設備属性を記憶し、その条件を満足していない場合はエラーとして処理し、さらに該ＰＤＳ設備属性が登録不可能な収容設備属性であればエラーとして登録処理を中止する。
【００７２】
図５は、収容設備収容数算出部１４０の構成例を示す。図において、収容設備収容数算出部１４０は、収容設備収容状況算出手段を構成する収容設備収容状況算出部１４１、収容設備収容条件設定手段を構成する収容設備収容条件設定部１４２、収容設備使用率記憶手段を構成する収容設備使用率記憶部１４３、収容設備使用率計算手段を構成する収容設備使用率計算部１４４、収容状態判断手段を構成する収容状態判断部１４５から構成される。
【００７３】
収容設備収容状況算出部１４１は、ケーブル記憶部１１０で利用可能と判断されたケーブル属性と、収容設備記憶部１２０で利用可能と判断された収容設備属性と、収容設備記憶部１２０で特定された収容設備属性に対してＰＤＳ設備記憶部１３０に記憶されたＰＤＳ設備属性と、引込線属性記憶部１０８に記憶され、収容設備記憶部１２０で特定された収容設備属性ごとに布設されている引込線属性とを各点設備ごとに読み出し、この読み出した属性により収容設備内接続記憶部１８０に記憶された接続特定情報を各収容設備ごとに読み出し、各収容設備属性の収容状況を算出する。収容設備収容条件設定部１４２は、各収容設備属性ごとのケーブル収容条件、ＰＤＳ設備収容条件、引込線収容条件、接続可能条件および未接続心線条件を予め設定する。収容設備使用率記憶部１４３は、収容設備収容条件設定部１４２から各条件を読み出し、各収容設備属性における使用率を記憶する。収容設備使用率計算部１４４は、通信媒体を選定するごとに、選定された収容設備属性における使用率を計算し、この使用率を収容設備使用率記憶部１４３に更新設定する。収容状態判断部１４５は、収容設備収容状況算出部１４１で算出された収容状況と、収容設備収容条件設定部１４２から読み出した条件とを比較し、収容設備属性が新たな需要を収容できるか否かを判断する。
【００７４】
ここで、収容状態判断部１４５が新たな需要を収容できる収容設備属性であると判断した場合に、選定部１５０は、通信媒体を選定する際に、各収容設備属性における使用率を収容設備使用率記憶部１４３から読み出して比較し、その比較結果に基づいて通信媒体を選定する
【００７５】
図６は、選定部１５０の構成例を示す。図において、選定部１５０は、通信媒体選定判断手段を構成する通信媒体選定判断部１５１、通信媒体優先順位設定手段を構成する通信媒体優先順位設定部１５２、心線運用方法特定手段を構成する心線運用方法特定部１５３、心線運用方法設定手段を構成する心線運用方法設定部１５４、心線切断判断手段を構成する心線切断判断部１５５、通信媒体選定手段を構成する通信媒体選定部１５６、ＰＤＳ優先登録設定手段を構成するＰＤＳ優先登録設定部１５７から構成される。
【００７６】
通信媒体選定判断部１５１は、サービス特性記憶部１７０から読み出したサービス内容を元に、ケーブルに収容された使用可能心線を選定するか、ＰＤＳ設備から使用可能設備を選定するかを判断する。心線切断判断部１５５は、通信媒体選定判断部１５１で判断された通信媒体がＰＤＳ設備の場合に、使用可能なＰＤＳ設備があればそれを選定し、使用可能なＰＤＳ設備がなければ収容設備で切断せずに利用可能な心線が存在するか否かを判断し、通信媒体選定判断部１５１で判断された通信媒体がＰＤＳ設備でない場合に、配線点特定部１６０で特定された配線点情報を元に該収容設備で切断せずに利用可能な心線が存在するか否かを判断する。心線運用方法設定部１５４は、点設備属性、ケーブル属性および収容設備属性の組み合わせに対する心線運用方法を予め設定する。心線運用方法特定部１５３は、心線切断判断部１５５で利用可能な心線が存在せずに心線の切断が必要と判断した場合に、配線点特定部１６０で特定された配線点情報を元に、点設備属性記憶部１０７から読み出した点設備属性と、ケーブル記憶部１１０から読み出したケーブル属性と、収容設備記憶部１２０から読み出した収容設備属性の組み合わせに対して、心線運用方法設定部１５４から配線点での心線運用方法を特定する。通信媒体優先順位設定部１５２は、通信媒体の優先順位を予め設定する。通信媒体選定部１５６は、心線運用方法特定部１５３で特定された心線運用方法よりケーブル内心線の切断方法を心線切断判断部１５５で判断し、通信媒体優先順位設定部１５２の優先順位により目的のＰＤＳ設備に接続する心線を選定するための通信媒体を選定する。ＰＤＳ優先登録設定部１５７は、ＰＤＳサービス内容ごとにＰＤＳ設備の優先順位を予め設定する。
【００７７】
ここで、収容設備収容数算出部１４０から配線点の収容設備属性の収容可能条件と、心線を包含するケーブル属性および収容設備属性と、ＰＤＳ優先登録設定部１５７に設定されたＰＤＳ設備の優先順位を比較し、得られたＰＤＳ属性を収容設備属性としてＰＤＳ設備記憶部１３０に記憶させ、かつ該ＰＤＳ属性から使用可能設備を選定し、心線切断判断部１５５で心線の切断が必要と判断した場合に、心線運用方法特定部１５３で特定された心線運用方法によりケーブルの心線の切断方法を判断し、その切断方法を元に通信媒体優先順位設定部１５２の優先順位により目的のＰＤＳ設備に接続する心線を選定するための通信媒体を選定し、この選定結果を収容設備収容数算出部１４０に更新記憶する。
【００７８】
図７は、配線点特定部１６０の構成例を示す。図において、配線点特定部１６０は、提供可能収容設備判断手段を構成する提供可能収容設備判断部１６１、収容設備検索手段を構成する収容設備検索部１６２、取付予定収容設備検索手段を構成する取付予定収容設備検索部１６３、収容設備優先登録設定手段を構成する収容設備優先登録設定部１６４、配線点特定記憶手段を構成する配線点特定記憶部１６５から構成される。
【００７９】
提供可能収容設備判断部１６１は、需要の発生した最寄りの点設備で、収容設備収容数算出部１４０で算出された各収容設備の使用率と、サービス特性記憶部１７０で判断された各収容設備の利用状況とを比較し、サービスを提供する収容設備が存在するか否かを判断する。収容設備検索部１６２は、提供可能収容設備判断部１６１で提供可能な収容設備が存在しないと判断された場合に、提供可能な収容設備をケーブルに沿って検索する。配線点特定記憶部１６５は、提供可能収容設備判断部１６１で提供可能な収容設備であると判断された場合にこの収容設備を配線点と特定して記憶し、提供可能収容設備判断部１６１で提供可能な収容設備が存在しないと判断された場合に収容設備検索部１６２で検索された収容設備を配線点と特定して記憶する。取付予定収容設備検索部１６３は、収容設備検索部１６２の検索により提供可能な収容設備が存在しない場合に、ケーブルに沿って新たな収容設備の取付が可能な点設備が存在するか否かを検索する。収容設備優先登録設定部１６４は、点設備属性とケーブル属性ごとに登録可能な収容設備の優先順位を予め設定する。
【００８０】
ここで、配線点特定記憶部１６５は、取付予定収容設備検索部１６３の検索により新たに収容設備の取付が可能な点設備属性とケーブル属性の組み合わせたが存在した場合に、収容設備優先登録設定部１６４からその収容設備の優先順位を読み出し、その優先順位に基づく収容設備属性を点設備に登録するために収容設備記憶部１２０を更新し、その点設備を配線点として特定して記憶し、選定部１５０は、配線点特定記憶部１６５で特定された配線点における収容設備属性により通信媒体を選定する。
【００８１】
図８は、サービス特性記憶部１７０の構成例を示す。図において、サービス特性記憶部１７０は、サービス内容判断手段を構成するサービス内容判断部１７１、サービス提供条件設定手段を構成するサービス提供条件設定部１７２、サービス提供設備判断手段を構成するサービス提供設備判断部１７３から構成される。
【００８２】
サービス内容判断部１７１は、通信媒体の需要に対して求められるサービス内容を記憶し、そのサービス内容がＳＳサービスかＰＤＳサービスかを判断する。サービス提供条件設定部１７２は、各サービスを提供する上で必要とする収容設備属性をサービス提供条件として予め設定する。サービス提供設備判断部１７３は、サービス内容判断部１７１で判断されたサービス内容について、サービス提供条件設定部１７２を参照して該サービスを提供する上で必要とする収容設備属性であるか否かを判断する。選定部１５０は、サービス提供設備判断部１７３の判断に基づいて、需要に対してサービス提供可能な収容設備属性から通信媒体を選定する。
【００８３】
図９は、本発明の通信媒体選定装置・方法の処理手順を示す。
新規需要が発生すると、入出力インタフェース部１０４を介して入出力装置１０５またはネットワーク１０６から、新規需要の目的とするサービス情報、新規需要のあった近くの点設備情報および選定条件が入力される。この入力された情報は、制御部１００の指示により入力部１０２に読み込まれ、さらに入力部１０２からコマンド処理部１０１に送られる。
【００８４】
コマンド処理部１０１は、制御部１００の指示により選定条件を解析するとともに、点設備属性記憶部１０７、ケーブル記憶部１１０、収容設備記憶部１２０、ＰＤＳ設備記憶部１３０、引込線属性記憶部１０８にそれぞれ属性判断処理を指示し、判断された属性を収容設備収容数算出部１４０に送り、収容設備収容数の算出処理を指示する。
【００８５】
すなわち、点設備属性記憶部１０７では、制御部１００の指示により点設備属性を読み出し、収容設備収容数算出部１４０に送る（S101）。ケーブル記憶部１１０では、制御部１００の指示により、ケーブル属性記憶部１１１に記憶された点設備ごとに布設されるケーブルの上部および下部のケーブル属性を読み込み、収容設備内接続記憶手段１８０のケーブル属性ごとの接続状態を更新する。また、収容設備登録条件設定部１１２からケーブル属性ごとに登録可能な収容設備属性の条件を読み出し、ケーブル属性判断部１１３で各点設備ごとに需要の目的に一致したケーブル属性であるか否かを判断する。ケーブル特定判断部１１４は、ケーブル属性判断部１１３から提供可能なケーブル属性を読み出し、収容設備収容数算出部１４０に送る（S102）。
【００８６】
収容設備記憶部１２０では、制御部１００の指示により、収容設備属性記憶部１２１に記憶された収容設備属性を読み出し、その収容設備属性が収容設備登録状態記憶部１２２で点設備に布設されたどのケーブル属性に登録されているかを記憶させる。さらに、収容設備登録設定部１２３から収容設備ごとに登録可能な点設備および登録可能個数条件を読み出し、収容設備判断部１２４で各点設備ごとに目的に一致した収容設備属性であるか否かを判断する。収容設備特定部１２５は、収容設備判断部１２４で判断された提供可能な収容設備属性を読み出し、収容設備収容数算出部１４０に送る（S103）。
【００８７】
ＰＤＳ設備記憶部１３０では、制御部１００の指示により、ＰＤＳ設備属性記憶部１３１からＰＤＳ設備属性を点設備ごとに読み出し、ＰＤＳ設備収容設備登録状態記憶部１３２からＰＤＳ設備属性が点設備に登録されたどの収容設備属性に登録されているかを読み出し、ＰＤＳ設備収容設備登録設定部１３３からＰＤＳ設備属性を登録可能な収容設備属性および登録可能個数条件を収容設備属性ごとに読み出し、ＰＤＳ設備属性判断部１３４で提供可能なＰＤＳ設備属性を判断する。ＰＤＳ設備特定部１３５は、ＰＤＳ設備属性判断部１３４で判断された提供可能なＰＤＳ設備属性を読み出し、収容設備収容数算出部１４０に送る（S104）。また、引込線属性記憶部１０８から各収容設備属性ごとに布設されている引込線の属性を読み出す（S105）。
【００８８】
収容設備収容数算出部１４０では、点設備属性（S101）、ケーブル属性（S102）、収容設備属性（S103）、ＰＤＳ設備属性（S104）を各点設備ごとに読み込み、収容設備収容状況算出部１４１で各収容設備属性に収容されている収容状況を算出する（S106）。そして、収容設備内接続記憶部１８０に記憶された引込線属性とケーブル属性と収容設備属性とＰＤＳ設備属性より、各収容設備属性ごとに収容されている収容設備属性内のケーブル接続情報とＰＤＳ設備属性と収容設備属性に収容されているケーブル内心線、ＰＤＳ設備と引込線、さらに収容設備属性に収容されているケーブル内心線と引込線との接続関係、さらに収容設備属性にて切断されＰＤＳ設備にも引込線にも接続されていない未接続心線を記憶する。収容状態判断部１４５は、収容設備収容条件設定部１４２から、各収容設備属性ごとのケーブル収容条件、ＰＤＳ設備収容条件、引込線収容条件、接続可能条件、さらに未接続心線条件が予め設定された収容設備収容条件を読み出し、収容設備内接続記憶部１８０から読み出した収容設備属性の収容状態とを比較し、収容設備属性が使用可能か否かを判断する。さらに、収容設備使用率計算部１４４は収容設備属性の使用率を算出して収容設備使用率記憶部１４３に記憶し、その結果は制御部１００の指示により配線点特定部１６０に送られる。
【００８９】
配線点特定部１６０では、制御部１００の指示により、提供可能収容設備判断部１６１で収容設備使用率記憶部１４３に記憶された収容設備属性ごとの使用率と収容状況と、サービス特性記憶部１７０からサービスの提供に必要な収容設備利用条件を読み出し、この比較により最寄点設備に目的と一致するケーブルおよび収容可能設備の組み合わせが存在するか否かを判断する（S107）。収容可能である場合、該点設備を目的の需要における収容設備の選定が可能な点設備と判断できるので配線点と特定する（S108）。配線点特定部１６０は、制御部１００の指示により、選択結果である配線点情報をコマンド処理部１０１に送る。
【００９０】
ステップS107で、収容不可能と判断した場合、収容設備検索部１６２は新規需要の最寄点設備に布設されているケーブルに沿って提供可能な収容設備を検索するため、点設備のケーブル接続情報を読み出し（S110）、この読み出したケーブル接続情報から上部または下部に接続されているケーブルが存在するか否かを判断する（S111）。そして、接続先が存在しない場合は、配線点が検索できないことからエラー処理を行って処理を終了する（S131）。
【００９１】
ステップS111で接続先が存在した場合、該ケーブルに沿って収容設備属性が存在する点設備を検索し、収容設備属性が存在する場合には当該点設備のケーブル属性と収容設備属性が目的と一致するケーブルおよび収容可能設備の組み合わせか否かの判断に戻る（S112、S107）。また、ステップS112で収容設備属性が存在しない場合、該ケーブルに沿って新たな収容設備属性が登録可能な点設備が存在するか否かを判断し（S113）、存在しない場合には配線点が検索できないことからエラー処理を行って処理を終了する（S131）。
【００９２】
また、ステップS113で新たな収容設備属性が登録可能な点設備が存在する場合、収容設備優先登録設定部１６４で点設備属性およびケーブル属性ごとに登録可能な収容設備属性の優先順位の高い順に該点設備に収容設備属性を登録することとし、収容設備属性記憶部１２１に記憶する（S114）。そして、該点設備を配線点と特定し（S108）、配線点特性部１６０は制御部１００の指示により選択結果である配線点情報をコマンド処理部１０１に送る。コマンド処理部１０１は、制御部１００の指示により、この配線点情報とサービス特性を選定部１５０に送り、通信媒体選定処理の実行を選定部１５０に指示する。
【００９３】
選定部１５０では、制御部１００の指示により、通信媒体選定判断部１５１でコマンド処理部１０１から送られたサービス特性を元に、ケーブルに収容された使用可能心線を選定するか、ＰＤＳ設備の使用可能設備を選定するかを判断する（S109）。ここで、ＰＤＳ設備を選定した場合、条件に合致したＰＤＳ設備に使用可能設備が存在するか否かを確認し（S120）、目的とするＰＤＳ設備が存在した場合、条件に合致した通信媒体の選定を実施し（S121）、選定した通信媒体およびその使用率を算出し（S122）、その通信媒体特定情報を出力部１０３に送る。
【００９４】
ステップS120で目的とするＰＤＳ設備に使用可能設備が存在しない場合、収容設備収容数算出部１４０から該配線点の収容設備属性の収容可能条件を読み込み、ＰＤＳ優先登録設定部１５７から予め設定可能なケーブル属性および収容設備属性を読み込んでＰＤＳ収容可能条件の判断を行う（S123）。さらに、ＰＤＳサービス内容ごとにＰＤＳ設備分岐数の優先順位の高い順に点設備に登録するＰＤＳ設備を読み込み（S124）、該ＰＤＳ設備を登録するための心線選定を行う（S125）。
【００９５】
ステップS109でケーブルに収容された使用可能心線を選定した場合、心線切断判断部１５５ですでに切断されている心線が存在するか否か（心線を切断せずに選定可能か否か）を確認する（S125）。そして、すでに切断されている心線が存在する場合、すなわち心線を切断せずに選定可能な心線があると判断した場合、心線選定の目的がＳＳサービス提供のためか否か（ＰＤＳ設備を登録するためか否か）を判断する（S126）。そして、ＳＳサービスの需要目的の場合、条件に合致した収容設備の選定を実施し（S121）、選定した通信媒体を収容する収容設備の使用率を算出し（S122）、その通信媒体特定情報を出力部１０３に送る。ステップS126で心線選定の目的がＰＤＳ設備を登録するための場合、S124で読み込んだ優先度の高い点設備に登録するＰＤＳ設備属性をＰＤＳ設備記憶部１３０に記憶し（S127）、ステップS120の処理に戻る。
【００９６】
ステップS125で切断されている心線が存在せず、新たな心線の切断が必要と判断された場合、ケーブル記憶部１１０および収容設備記憶部１２０から該配線点のケーブル属性および収容設備属性を読み込み、心線運用方法設定部１５４からこの組み合わせの該配線点での心線運用方法を読み出して比較し、心線運用方法特定部１５３で収容設備属性での心線運用方法を特定する（S128）。そして、心線運用方法特定部１５３で特定された心線運用方法よりケーブル内心線を選定するため、通信媒体選定部１５６で優先して選定すべき通信媒体の優先順位を予め設定する通信媒体優先順位設定部１５２から、該当の心線運用単位およびサービス特性より心線を選定する（S129）。ここで、目的とする心線が存在するか否かを判断し（S130）、心線が存在した場合にはステップS126の判断を行い、目的とする心線が存在しない場合には配線点にて使用可能心線が存在しないことからエラー処理を行って処理を終了する（S131）。
【００９７】
上記の処理で、条件に合致した通信媒体の選定を実施し（S121）、選定した通信媒体およびその使用率を算出し（S122）、その通信媒体特定情報を出力部１０３に送る。出力部１０３に送られた通信媒体特定情報は、制御部１００の指示により、出力部１０３から入出力インタフェース１０４を介してネットワーク１０６または入出力装置１０５に送られ、本処理は終了する。
【００９８】
（本発明による通信媒体選定のシミュレーション）
ここで、図１０に示す設備モデルを例に、本発明による通信媒体選定のシミュレーションについて説明する。簡単のために、従来例と同様に布設されたケーブルは２心テープ構造×２テープの４心であり、この４心ケーブルは途中での分岐が存在しないケーブルとする。点設備１および点設備２に登録された収容設備属性は単心分離可能収容設備、および区間のケーブルは単身分離可能ケーブルとなっている。
【００９９】
本シミュレーション実施の前提条件は次の通りである。
(1) 布設されたケーブル属性および収容設備属性は、ＳＳサービスおよびＰＤＳサービスの収容が可能であり、単心分離運用可能な属性とする。
(2) 各収容設備属性に収容可能なＰＤＳ設備収容数は１個までとする。
(3) 登録されるＰＤＳ設備属性は２分岐ＰＤＳ設備属性とする。
(4) シミュレーションを簡素化するために、ＰＤＳサービスは１種類とする。
(5) 各収容設備属性から引込み可能な引込線数は４本までとする。
【０１００】
シミュレーション方法は次の通りである。
(1) 発生する需要は、各点設備でランダムに発生し、需要１〜５が発生するものとする。(2) ＰＤＳ設備属性登録優先順位は、２分岐ＰＤＳ設備属性を１位とする。
(3) 収容設備属性の優先登録順位は、単心分離可能収容設備属性を１位とする。
(4) 運用方法における優先順位として単心分離運用方法と特定された場合、
(4-1) 該配線点ですでに単心分離運用方法と判断されているテープ集合体の使用可能心        線を選定対象とする。
(4-2) 単心分離運用方法と判断されているテープ集合体で使用可能な心線が存在しない        場合、新たなテープ集合体における使用可能心線を選定対象とする。
(5) 発生した需要に対して、使用可能通信媒体が存在しなくなった時点でシミュレーションを終了する。
【０１０１】
（需要１）
図１０(a) において、点設備２にＰＤＳサービスの需要１が発生したとする。この点設備２に登録されている収容設備の収容状況を算出し、目的の需要と一致するケーブル属性および収容可能設備の組み合わせが存在するか確認する。この結果、目的とする組み合わせがあると判断され、該点設備を配線点と特定し、該配線点に登録された収容設備属性に対して、サービス特性判断により目的とする使用可能なＰＤＳ設備属性が存在するか否かを確認する。この結果、目的とするＰＤＳ設備属性に使用可能な設備が存在しないため、該収容設備属性に２分岐ＰＤＳ設備属性を登録することを前提とし、該ＰＤＳ設備属性を接続するための心線選定を行う。該収容設備にて切断せずに利用可能な心線が存在するか否かを判断する。ここでは利用可能な心線が存在しないことから新たに心線を切断することとし、テープ構造体１-(1)を目的の心線と特定し、該心線に対して使用予定とする。また、使用可能な心線が存在したことから、該心線に対して取付予定ＰＤＳ設備属性を更新し、ＰＤＳ設備属性の使用可能収容設備を選定し、該収容設備の使用率の算出を実施し、その内容を更新する。
【０１０２】
（需要２）
次に、図１０(a) において、点設備１にＳＳサービスの需要２が発生したとする。この点設備１に登録されている収容設備の収容状況を算出し、目的の需要と一致するケーブル属性および収容可能設備の組み合わせが存在するか確認する。この結果、目的とする組み合わせがあると判断され、該点設備を配線点と特定し、該配線点に登録された収容設備属性に対して、サービス特性判断によりＳＳサービスと判定され、該収容設備属性より使用可能な心線の選定を行う。該収容設備で切断せずに利用可能な心線が存在するか否かを判断し、ここでは利用可能な心線が存在しないことから新たに心線を切断することとする。そして、ケーブル属性および収容設備属性を読み込み、心線運用方法を判断し、その結果として単心分離運用方法を特定し、単心分離運用方法における優先順位に基づきテープ構造体１は点設備２でテープ構造体１-(1)が使用予定の在庫であることから、テープ構造体２に含まれるテープ構造体２-(1)を目的の心線と特定し、該心線に対して使用予定とする。また、該収容設備の使用率の算出を実施し、その内容を更新する。
【０１０３】
（需要３）
次に、図１０(b) において、点設備２にＳＳサービスの需要３が発生したとする。この点設備２に登録されている収容設備の収容状況を算出し、目的の需要と一致するケーブル属性および収容可能設備の組み合わせが存在するか確認する。この結果、目的とする組み合わせがあると判断され、該点設備を配線点と特定し、該配線点に登録された収容設備属性に対して、サービス特性判断によりＳＳサービスと判定され、該収容設備属性より使用可能な心線の選定を行う。該収容設備で切断せずに利用可能な心線が存在するか否かを判断し、ここでは利用可能な心線が存在しないことから新たに心線を切断することとする。そして、ケーブル属性および収容設備属性を読み込み、心線運用方法を判断し、その結果として単心分離運用方法を特定し、単心分離運用方法における優先順位に基づきテープ構造体１-(1)が該配線点で使用予定の在庫であることから、テープ構造体１に含まれる使用可能心線、すなわちテープ構造体１-(2)を目的の心線と特定し、該心線に対して使用予定とする。また、該収容設備の使用率の算出を実施し、その内容を更新する。
【０１０４】
（需要４）
次に、図１０(b) において、点設備２にＰＤＳサービスの需要４が発生したとする。この点設備２に登録されている収容設備の収容状況を算出し、目的の需要と一致するケーブル属性および収容可能設備の組み合わせが存在するか確認する。この結果、目的とする組み合わせがあると判断され、該点設備を配線点と特定し、該配線点に登録された収容設備属性に対して、サービス特性判断により目的とする使用可能なＰＤＳ設備属性が存在するか否かを確認する。ここでは、目的とするＰＤＳ設備属性が存在し、かつテープ構造体１-(1)に取付予定ＰＤＳ設備属性に使用可能設備が存在することから、該ＰＤＳ設備属性の使用可能収容設備を目的の心線と特定し、該心線に対して使用予定とする。また、該収容設備の使用率の算出を実施し、その内容を更新する。
【０１０５】
（需要５）
次に、図１０(c) において、点設備２にＰＤＳサービスの需要５が発生したとする。この点設備２に登録されている収容設備の収容状況を算出し、目的の需要と一致するケーブル属性および収容可能設備の組み合わせが存在するか確認する。この結果、目的とする組み合わせがあると判断され、該点設備を配線点と特定し、該配線点に登録された収容設備属性に対して、サービス特性判断により目的とする使用可能なＰＤＳ設備属性が存在するか否かを確認する。ここでは、目的とするＰＤＳ設備属性に使用可能な設備が存在しないため、該収容設備属性に新たなＰＤＳ設備の登録が可能か否かを収容状況より判断する。ここでは、すでに該収容設備属性にＰＤＳ設備属性が登録されていることから、該収容設備に対して新たなＰＤＳ設備属性の登録が不可能と判断する。そして、該配線点に布設されているケーブル属性に対して新たな収容設備が登録可能であるか否かを確認し、該配線点に新たな収容設備属性が取付可能であると判断される。そして、収容設備属性の優先登録順位より、単心分離可能収容設備属性を登録することとし、該点設備における収容設備属性を更新する。
【０１０６】
さらに、該収容設備属性における使用可能なＰＤＳ設備属性が存在するか否かを確認し、目的とするＰＤＳ設備属性が存在しないため、該収容設備属性に２分岐設備属性を登録することを前提とし、該ＰＤＳ設備属性を接続するための心線選定を行う。該収容設備にて切断せずに利用可能な心線が存在するか否かを判断する。ここでは利用可能な心線が存在しないことから新たに心線を切断することとする。そして、ケーブル属性および収容設備属性を読み込み、心線運用方法を判断し、その結果として単心分離運用方法を特定し、テープ構造体２-(1)が使用予定の在庫であることから、テープ構造体２-(2)を目的の心線と特定し、該心線に対して使用予定とする。また、使用可能な心線が存在したことから、該心線に対して取付予定ＰＤＳ設備属性を更新し、ＰＤＳ設備属性の使用可能収容設備を選定し、該収容設備の使用率の算出を実施し、その内容を更新する。
【０１０７】
以上説明したように、本発明による選定では、目的とする点設備の登録されている収容設備属性の収容状況を動的に判断し、目的とする通信媒体を選定することができる。また、各点設備における収容状況の収容条件を加味した選定を行っていることから、目的とする収容設備属性に包含される通信媒体より目的とする通信媒体を選定することができる。すなわち、配線点ごとの収容設備属性への収容状況を通信媒体選定者が意識することなく通信媒体の選定が可能となる。また、本発明では、従来技術のように通信媒体選定装置媒体選定後に、目的の点設備に登録されている収容設備属性の使用状況を確認する必要がない。
【０１０８】
ここで、従来技術と本発明技術におけるシミュレーション結果を示す。従来の通信媒体選定装置では、選定回数が３、発生需要に対する選定成功率が60％となっている。一方、本発明の通信媒体選定装置では、選定回数が５、発生需要に対する選定成功率が 100％となっている。このように、本発明では収容設備属性への収容可能条件を人手により確認することなく40ポイントの向上が見られる。
【０１０９】
また、本発明の通信媒体選定方法の処理手順をプログラムとし、ＣＤＲＯＭなどの記録媒体に記録してこの記録媒体からコンピュータシステムにダウンロードしたり、通信回線を利用してダウンロードして該コンピュータシステムを作動させることにより、通信媒体選定方法を実施する通信媒体選定装置として機能させることができる。
【図面の簡単な説明】
【０１１０】
【図１】本発明の通信媒体選定装置の実施形態を示すブロック図。
【図２】ケーブル記憶部１１０の構成例を示すブロック図。
【図３】収容設備記憶部１２０の構成例を示すブロック図。
【図４】ＰＤＳ設備記憶部１３０の構成例を示すブロック図。
【図５】収容設備収容数算出部１４０の構成例を示すブロック図。
【図６】選定部１５０の構成例を示すブロック図。
【図７】配線点特定部１６０の構成例を示すブロック図。
【図８】サービス特性記憶部１７０の構成例を示すブロック図。
【図９】本発明の通信媒体選定装置・方法の処理手順を示すフローチャート。
【図１０】本発明による選定シミュレーションの実施例を示す図。
【図１１】通信ネットワークにおけるサービス種別の特性を説明する図。
【図１２】線路設備の構成例を示す図。
【図１３】集合構造体の構成例を示す図。
【図１４】収容設備の構成例を示す図。
【図１５】引込線の例を示す図。
【図１６】心線運用のイメージ例を示す図。
【図１７】ＰＤＳ設備の構成例を示す図。
【図１８】設備モデルを示す図。
【図１９】従来技術による選定シミュレーション例を示す図。
【符号の説明】
【０１１１】
１００  制御部
１０１  コマンド処理部
１０２  入力部
１０３  出力部
１０４  入出力インタフェース部
１０５  入出力装置
１０６  ネットワーク
１０７  点設備属性記憶部
１０８  引込線属性記憶部
１１０  ケーブル記憶部
１１１  ケーブル属性記憶部
１１２  収容設備登録条件設定部
１１３  ケーブル属性判断部
１１４  ケーブル特定判断部
１２０  収容設備記憶部
１２１  収容設備属性記憶部
１２２  収容設備登録状態記憶部
１２３  収容設備登録設定部
１２４  収容設備判断部
１２５  収容設備特定部
１３０  ＰＤＳ設備記憶部
１３１  ＰＤＳ設備属性記憶部
１３２  ＰＤＳ設備収容設備登録状態記憶部
１３３  ＰＤＳ設備収容設備登録設定部
１３４  ＰＤＳ設備属性判断部
１３５  ＰＤＳ設備特定部
１４０  収容設備収容数算出部
１４１  収容設備収容状況算出部
１４２  収容設備収容条件設定部
１４３  収容設備使用率記憶部
１４４  収容設備使用率計算部
１４５  収容状態判断部
１５０  選定部
１５１  通信媒体選定判定部
１５２  通信媒体選定優先順位設定部
１５３  心線運用方法特定部
１５４  心線運用方法設定部
１５５  心線切断判断部
１５６  通信媒体選定部
１５７  ＰＤＳ優先登録設定部
１６０  配線点特定部
１６１  提供可能収容設備判断部
１６２  収容設備検索部
１６３  取付予定収容設備検索部
１６４  収容設備優先登録設定部
１６５  配線点特定記憶部
１７０  サービス特性記憶部
１７１  サービス内容判断部
１７２  サービス提供条件設定部
１７３  サービス提供設備判断部
１８０  収容設備内接続記憶部
【図１】
0004495063.tif 000002
【図２】
0004495063.tif 000003
【図３】
0004495063.tif 000004
【図４】
0004495063.tif 000005
【図５】
0004495063.tif 000006
【図６】
0004495063.tif 000007
【図７】
0004495063.tif 000008
【図８】
0004495063.tif 000009
【図９】
0004495063.tif 000010
【図１０】
0004495063.tif 000011
【図１１】
0004495063.tif 000012
【図１２】
0004495063.tif 000013
【図１３】
0004495063.tif 000014
【図１４】
0004495063.tif 000015
【図１５】
0004495063.tif 000016
【図１６】
0004495063.tif 000017
【図１７】
0004495063.tif 000018
【図１８】
0004495063.tif 000019
【図１９】
0004495063.tif 000020